(57)【要約】  ユーザ機器において、ランダムアクセス手順を実行する方法が提供される。この方法は、サービングセルへの参照信号（ＲＳ）送信の切り替えのリクエストを受信することを含む。この方法は、ＲＳ切り替えに関して、サービングセルへのランダムアクセス再送信の最大数を制限することにより、サービングセルに対するランダムアクセス手順を適応的に実行することをさらに含む。ネットワークノードにおける方法、ユーザ機器、およびネットワークノードも提供される。【選択図】図１５
2019537335.tif 000002
【特許請求の範囲】
【請求項１】
ユーザ機器において、ランダムアクセス手順を実行するための方法であって、
サービングセルへの参照信号（ＲＳ）送信の切り替えのリクエストを受信することと、
前記ＲＳ切り替えに関して、前記サービングセルへのランダムアクセス再送信の最大数を制限することにより、前記サービングセルに対するランダムアクセス手順を適応的に実行することと、
を含む、方法。
【請求項２】
前記ランダムアクセス再送信が、ランダムアクセスプリアンブル再送信である、請求項１に記載の方法。
【請求項３】
前記サービングセルが、物理アップリンク共有チャネル（ＰＵＳＣＨ）を伴わないセカンダリサービングセル（ＳＣｅｌｌ）である、請求項１または２に記載の方法。
【請求項４】
前記ランダムアクセス手順が、非競合ベースの物理ランダムアクセスチャネル（ＰＲＡＣＨ）手順であり、前記ランダムアクセス再送信が、非競合ベースのＰＲＡＣＨ送信である、請求項１から３のいずれか一項に記載の方法。
【請求項５】
第１のキャリア周波数に属するセルにおいて第１の組の参照時間リソースを決定することをさらに含み、前記サービングセルが、第２のキャリア周波数で動作する、請求項１から４のいずれか一項に記載の方法。
【請求項６】
前記サービングセルへのランダムアクセス再送信の最大数を制限することが、前記決定した第１の組の参照時間リソース中の前記サービングセルへのランダムアクセス再送信の最大数を制限することを含む、請求項５に記載の方法。
【請求項７】
前記第１の組の参照時間リソースが、測定を実行するためのものである、請求項５または６に記載の方法。
【請求項８】
サービングセルへのＲＳ送信の切り替えのリクエストを受信する前記ステップが、無線リソース制御（ＲＲＣ）シグナリングによって１つまたは複数のＲＳ切り替えメッセージを受信することを含む、請求項１から７のいずれか一項に記載の方法。
【請求項９】
前記ＲＳ切り替えが、キャリアベースのＲＳ切り替えである、請求項１から８のいずれか一項に記載の方法。
【請求項１０】
前記ＲＳが、サウンディング参照信号である、請求項１から９のいずれか一項に記載の方法。
【請求項１１】
前記ＲＳが、変調参照信号（ＤＭＲＳ）、パイロット信号、およびＵＥ固有参照信号のいずれか１つである、請求項１から９のいずれか一項に記載の方法。
【請求項１２】
ネットワークノードにおいて、
ユーザ機器にリクエストを送信することであって、前記リクエストが、サービングセルへの参照信号（ＲＳ）送信の切り替えのリクエストを含む、リクエストを送信することと、
参照信号（ＲＳ）切り替えに関して、ランダムアクセス手順を適応させる前記ユーザ機器の能力に関する情報を取得することであって、前記適応が、前記ＲＳ切り替えに関して前記サービングセルへのランダムアクセス再送信の最大数を制限することを含む、情報を取得することと、
を含む、方法。
【請求項１３】
前記ＲＳ切り替えに関して、前記サービングセルに対する前記ユーザ機器のランダムアクセス送信を制御することをさらに含む、請求項１２に記載の方法。
【請求項１４】
前記ＲＳ切り替えに関して、前記サービングセルに対する前記ユーザ機器のランダムアクセス送信を制御することが、前記ＲＳ切り替えに関して、前記ユーザ機器により実行される前記ランダムアクセス手順を適応させることを含み、前記適応が、前記ＲＳ切り替えに関して、前記サービングセルへのランダムアクセス再送信の最大数を制限することを含む、請求項１３に記載の方法。
【請求項１５】
前記ユーザ機器について、第１のキャリア周波数に属する第１のセルにおいて第１の組の参照時間リソースを決定することをさらに含み、前記サービングセルが、第２のキャリア周波数で動作する、請求項１２から１４のいずれか一項に記載の方法。
【請求項１６】
前記リクエストを送信することが、無線リソース制御（ＲＲＣ）シグナリングによって１つまたは複数のＲＳ切り替えメッセージを送信することを含む、請求項１２から１５のいずれか一項に記載の方法。
【請求項１７】
前記ランダムアクセス再送信が、ランダムアクセスプリアンブル再送信である、請求項１２から１６のいずれか一項に記載の方法。
【請求項１８】
前記サービングセルが、物理アップリンク共有チャネル（ＰＵＳＣＨ）を伴わないセカンダリサービングセル（ＳＣｅｌｌ）である、請求項１２から１７のいずれか一項に記載の方法。
【請求項１９】
前記ランダムアクセス手順が、非競合ベースの物理ランダムアクセスチャネル（ＰＲＡＣＨ）手順であり、前記ランダムアクセス再送信が、非競合ベースのＰＲＡＣＨ送信である、請求項１２から１８のいずれか一項に記載の方法。
【請求項２０】
前記ＲＳ切り替えが、キャリアベースのＲＳ切り替えである、請求項１２から１９のいずれか一項に記載の方法。
【請求項２１】
前記ＲＳが、サウンディング参照信号である、請求項１２から２０のいずれか一項に記載の方法。
【請求項２２】
１つまたは複数のプロセッサを備えたユーザ機器であって、前記１つまたは複数のプロセッサが、
サービングセルへの参照信号（ＲＳ）送信の切り替えのリクエストを受信することと、
前記ＲＳ切り替えに関して、前記サービングセルへのランダムアクセス再送信の最大数を制限することにより、前記サービングセルに対するランダムアクセス手順を適応的に実行することと、
を行うように設定された、ユーザ機器。
【請求項２３】
前記ランダムアクセス再送信が、ランダムアクセスプリアンブル再送信である、請求項２２に記載のユーザ機器。
【請求項２４】
前記サービングセルが、物理アップリンク共有チャネル（ＰＵＳＣＨ）を伴わないセカンダリサービングセル（ＳＣｅｌｌ）である、請求項２２または２３に記載のユーザ機器。
【請求項２５】
前記ランダムアクセス手順が、非競合ベースの物理ランダムアクセスチャネル（ＰＲＡＣＨ）手順であり、前記ランダムアクセス再送信が、非競合ベースのＰＲＡＣＨ送信である、請求項２２から２４のいずれか一項に記載のユーザ機器。
【請求項２６】
前記１つまたは複数のプロセッサが、第１のキャリア周波数に属するセルにおいて第１の組の参照時間リソースを決定するようにさらに設定され、前記サービングセルが、第２のキャリア周波数で動作する、請求項２２から２５のいずれか一項に記載のユーザ機器。
【請求項２７】
前記１つまたは複数のプロセッサが、前記決定された第１の組の参照時間リソース中の前記サービングセルへのランダムアクセス再送信の最大数を制限するように設定された、請求項２６に記載のユーザ機器。
【請求項２８】
前記第１の組の参照時間リソースが、測定を実行するためのものである、請求項２６または２７に記載のユーザ機器。
【請求項２９】
前記１つまたは複数のプロセッサが、無線リソース制御（ＲＲＣ）シグナリングによって１つまたは複数のＲＳ切り替えメッセージを受信することにより、サービングセルへのＲＳ送信の切り替えのリクエストを受信するように設定された、請求項２２から２８のいずれか一項に記載のユーザ機器。
【請求項３０】
前記ＲＳ切り替えが、キャリアベースのＲＳ切り替えである、請求項２２から２９のいずれか一項に記載のユーザ機器。
【請求項３１】
前記ＲＳが、サウンディング参照信号である、請求項２２から３０のいずれか一項に記載のユーザ機器。
【請求項３２】
ユーザ機器にリクエストを送信することであって、前記リクエストが、サービングセルへの参照信号（ＲＳ）送信の切り替えのリクエストを含む、リクエストを送信することと、
参照信号（ＲＳ）切り替えに関して、ランダムアクセス手順を適応させる前記ユーザ機器の能力に関する情報を取得することであって、前記適応が、前記ＲＳ切り替えに関して前記サービングセルへのランダムアクセス再送信の最大数を制限することを含む、情報を取得することと、
を行うように設定された１つまたは複数のプロセッサを備えたネットワークノード。
【請求項３３】
前記１つまたは複数のプロセッサが、前記ＲＳ切り替えに関して、前記サービングセルに対する前記ユーザ機器のランダムアクセス送信を制御するようにさらに設定された、請求項３２に記載のネットワークノード。
【請求項３４】
前記１つまたは複数のプロセッサが、前記ＲＳ切り替えに関して、前記ユーザ機器により実行される前記ランダムアクセス手順を適応させるように設定され、前記適応が、前記ＲＳ切り替えに関して、前記サービングセルへのランダムアクセス再送信の最大数を制限することを含む、請求項３３に記載のネットワークノード。
【請求項３５】
前記１つまたは複数のプロセッサが、前記ユーザ機器について、第１のキャリア周波数に属する第１のセルにおいて第１の組の参照時間リソースを決定するようにさらに設定され、前記サービングセルが、第２のキャリア周波数で動作する、請求項３２から３４のいずれか一項に記載のネットワークノード。
【請求項３６】
前記１つまたは複数のプロセッサが、無線リソース制御（ＲＲＣ）シグナリングによって１つまたは複数のＲＳ切り替えメッセージを前記ユーザ機器に送信するように設定された、請求項３２から３５のいずれか一項に記載のネットワークノード。
【請求項３７】
前記ランダムアクセス再送信が、ランダムアクセスプリアンブル再送信である、請求項３２から３６のいずれか一項に記載のネットワークノード。
【請求項３８】
前記サービングセルが、物理アップリンク共有チャネル（ＰＵＳＣＨ）を伴わないセカンダリサービングセル（ＳＣｅｌｌ）である、請求項３２から３７のいずれか一項に記載のネットワークノード。
【請求項３９】
前記ランダムアクセス手順が、非競合ベースの物理ランダムアクセスチャネル（ＰＲＡＣＨ）手順であり、前記ランダムアクセス再送信が、非競合ベースのＰＲＡＣＨ送信である、請求項３２から３８のいずれか一項に記載のネットワークノード。
【請求項４０】
前記ＲＳ切り替えが、キャリアベースのＲＳ切り替えである、請求項３２から３９のいずれか一項に記載のネットワークノード。
【請求項４１】
前記ＲＳが、サウンディング参照信号である、請求項３２から３９のいずれか一項に記載のネットワークノード。
【発明の詳細な説明】
【技術分野】
【０００１】
本開示は、一般的には無線通信に関し、より詳細には、ランダムアクセス手順を適応させる方法および装置に関する。
【背景技術】
【０００２】
サウンディング参照信号
サウンディング参照信号（ＳＲＳ）は、ｅＮｏｄｅＢがさまざまなアップリンク（ＵＬ）チャネル特性を推定できるようにするためにユーザ機器（ＵＥ）により送信される既知の信号である。これらの推定値は、たとえばＵＬスケジューリングおよびリンク適応のほか、ダウンリンク（ＤＬ）多重アンテナ送信に用いられる場合がある（特に、ＵＬおよびＤＬが同じ周波数を使用する時分割複信（ＴＤＤ）の場合）。
【０００３】
図１は、ＵＬ送信サブフレームを示している。ＳＲＳは、図１において規定されており、単一の直交周波数分割多重（ＯＦＤＭ）シンボルの持続時間を有する。ＳＲＳは、１ｍｓのＵＬサブフレームの最終シンボルにおいて送信可能であり、また、ＴＤＤの場合は、スペシャルスロットＵｐＰＴＳにおいて送信可能である。ＵＰＴＳの長さは、１つまたは２つのシンボルとなるように設定可能である。
【０００４】
図２は、３ＤＬ：２ＵＬの時分割複信（ＴＤＤ）の一例を示している。より詳細に、図２は、１０ｍｓの無線フレーム内のＤＬ：ＵＬ比が３：２の一例を示している。ＳＲＳには、最大８つのシンボルを確保可能である。
【０００５】
ＳＲＳ帯域幅、ＳＲＳ周波数領域位置、ＳＲＳホッピングパターン、およびＳＲＳサブフレーム設定等のＳＲＳシンボルの設定は、無線リソース制御（ＲＲＣ）情報エレメントの一部として準静的に設定される。
【０００６】
ロングタームエボリューション（ＬＴＥ）ＵＬには、周期的ＳＲＳ送信および非周期的ＳＲＳ送信という２種類のＳＲＳ送信が存在する。周期的ＳＲＳは、ＲＲＣシグナリングにより設定された規則的なタイムインスタンスにおいて送信される。非周期的ＳＲＳは、物理ダウンリンク制御チャネル（ＰＤＣＣＨ）におけるシグナリングによりトリガされる１回限りの送信である。
【０００７】
実際のところ、ＳＲＳに関しては、セル固有ＳＲＳ設定およびＵＥ固有ＳＲＳ設定という２つの異なる設定が存在する。セル固有ＳＲＳ設定は本質的に、図２に示すようにセル内のＳＲＳ送信に用いられ得るサブフレームを示す。
【０００８】
ＵＥ固有ＳＲＳ設定は、端末に対して、その特定のＵＥのＳＲＳ送信に用いられる（セル内のＳＲＳ送信に予約されたサブフレームのうちの）サブフレームおよび周波数領域リソースのパターンを示す。また、周波数領域コームおよび巡回シフト等、ＵＥが信号の送信時に使用する他のパラメータを含む。
【０００９】
これは、ＵＥ固有設定を用いることにより、異なるＵＥからのＳＲＳを時間領域で多重化することによって、２つのＵＥのＳＲＳが異なるサブフレームにおいて送信されるようにすることができることを意味する。さらに、同じシンボルにおいて、ＳＲＳを周波数領域で多重化可能である。一組のサブキャリアは、偶数および奇数サブキャリアを各組にそれぞれ含む二組のサブキャリアまたはコームに分割される。また、ＵＥは、異なる帯域幅を有することにより、付加的なＦＤＭを得るようにしてもよい。コームによれば、帯域幅が異なる信号の周波数領域多重および重ね合わせが可能となる。また、符号分割多重も利用可能である。そして、基本的なベースシーケンスの異なるシフトの利用により、異なるユーザが同じ時間および周波数領域リソースを厳密に使用可能である。
【００１０】
ＳＲＳキャリアベースの切り替え
ＬＴＥネットワークにおいては、さまざまなＤＬトラフィックの増大が存在し、アグリゲートされたＤＬコンポーネントキャリア（ＣＣ）の数が（アグリゲートされた）アップリンクＣＣの数よりも多くなる。既存のＵＥカテゴリの場合は、通常のキャリアアグリゲーション（ＣＡ）によって、ＵＥが１つまたは２つのアップリンクＣＣのみをサポート可能である。
【００１１】
ＵＬおよびＤＬの両者をサポートするキャリアの場合は、チャネル相互性を利用可能であることから、プリコーディングマトリクスインジケータ（ＰＭＩ）を伴わずにＳＲＳを伴う送信ダイバーシティベースのフィードバックが有効である。ただし、ＵＥは一般的に、ＵＬキャリアよりも多くのＤＬキャリアをアグリゲート可能である。結果として、ＵＥのＤＬ送信を伴う一部のＴＤＤキャリアでは、ＳＲＳを含むＵＬ送信が行われず、これらにキャリアにチャネル相互性を利用することができない。このような状況は、ＣＣの大部分がＴＤＤである最大３２個のＣＣのキャリアアグリゲーション（ＣＡ）高度化の場合により深刻となる。これらのＴＤＤキャリア上でのＳＲＳ送信を可能にするには、ＴＤＤ  ＵＬキャリアへの高速キャリア切り替えおよびＴＤＤ  ＵＬキャリア間の高速キャリア切り替えを可能にすることが１つの手法であり、サポートされるべきである。
【００１２】
ＳＲＳキャリアベースの切り替えは、ＴＤＤ  ＣＣへのＳＲＳ切り替えおよびＴＤＤ  ＣＣ間のＳＲＳ切り替えのサポートを目的としており、ＳＲＳ送信に利用可能なＣＣは、物理ダウンリンク共有チャネル（ＰＤＳＣＨ）のＣＡに利用可能なＣＣに対応する。一方、ＵＥは、物理アップリンク共有チャネル（ＰＵＳＣＨ）のＣＡに利用可能なＣＣをほとんど有していない。
【００１３】
ランダムアクセス
ＳＲＳキャリアベース切り替えを目的として、ＵＥは、たとえばＵＥタイミング推定を可能にするため、ＳＲＳだけでなく物理ランダムアクセスチャネル（ＰＲＡＣＨ）をも送信してもよい。
【００１４】
ランダムアクセス（ＲＡ）手順は、競合ベースまたは非競合ベースのいずれかが可能である。競合ベースおよび非競合ベースの手順いずれも、複数ステップの手順である。以下、図３および図４それぞれに関して、競合ベースおよび非競合ベースのランダムアクセス手順をより詳しく説明する。
【００１５】
図３は、例示的な競合ベースのランダムアクセス手順を示している。競合ベースのＲＡにおいて、ＵＥは、ランダムアクセスチャネル（ＲＡＣＨ）機会の間に「ランダムアクセスプリアンブル」をｅＮｏｄｅＢ（ｅＮＢ）に対してランダムに送信する。プリアンブルは、セルに対して設定され、たとえばシステム情報により与えられる一組から選択される。２番目のステップにおいて、ネットワークは、ランダムアクセス応答（ＲＡＲ）メッセージ中の少なくとも１つのＲＡプリアンブル識別子、最初のアップリンクグラント等によってＵＥに応答する。３番目のステップにおいて、ＵＥは、ＲＡＲメッセージにおいて受信された最初の割り当てを使用することにより、接続リクエストと関連する別の詳細を送信する（メッセージ３（ｍｓｇ３）としても知られる）。メッセージ３において、ＵＥは、その識別子も送信するが、これは、４番目のステップおよび最終ステップにおける「競合解消メッセージ」においてｅＮＢにより繰り返される。競合解消は、ＵＥがそれ自身の識別情報を競合解消メッセージにおいて検出した場合に、成功と考えられる。それ以外の場合は、ＲＡを再試行する。
【００１６】
ＣＡが設定された場合は、競合ベースのＲＡ手順の最初の３ステップがプライマリセル（ＰＣｅｌｌ）で行われる一方、競合解消（ステップ４）をＰＣｅｌｌにより相互スケジューリング可能である。デュアルコネクティビティ（ＤＣ）が設定された場合、競合ベースのＲＡ手順の最初の３ステップは、マスターセルグループ（ＭＣＧ）のＰＣｅｌｌおよびセカンダリセルグループ（ＳＣＧ）のＰＳＣｅｌｌで行われる。ＣＡがＳＣＧにおいて設定された場合は、競合ベースのランダムアクセス手順の最初の３ステップがＰＳＣｅｌｌで行われる一方、競合解消（ステップ４）をＰＳＣｅｌｌにより相互スケジューリング可能である。
【００１７】
図４は、例示的な非競合ベースのランダムアクセス手順を示している。非競合ベースのＲＡにおいて、ｅＮＢは最初、「ランダムアクセスプリアンブル」を割り当てる。次のステップにおいて、ＵＥは、割り当てられたプリアンブルをＲＡＣＨ機会の間にｅＮＢへと送信する。最後のステップにおいて、ネットワークは、ＲＡＲメッセージ中の少なくとも１つのＲＡプリアンブル識別子、最初のアップリンクグラント等によってＵＥに応答する。ＵＥは、ＲＡＲメッセージにおいて受信された最初の割り当てを使用することにより、たとえばハンドオーバと関連する別の詳細を送信する。非競合ベースのＲＡの場合は、「競合解消フェーズ」が存在しない。
【００１８】
ＲＡＣＨ送信機会
ＲＡを実行可能な時間−周波数リソースは、すべてのＵＥに対するブロードキャストチャネル上または特定のＵＥに対する共有チャネル上にマッピングされたシステム情報を介して送信される。１つのＲＡ機会（すなわち、リソース）は、１．０７ＭＨｚの幅（６つのリソースブロック（ＲＢ））であり、ＲＡＣＨプリアンブルフォーマットに応じて、１ｍｓまたは２ｍｓのいずれかにわたって続く。周波数分割複信（ＦＤＤ）の場合、サブフレーム当たりのＲＡリソースは、せいぜい１つであってもよい。ＴＤＤの場合は、ＵＬ／ＤＬ設定に応じて、複数のＲＡ機会が周波数上に拡がっていてもよい。ＲＡスロットにおいて他のデータをスケジューリングするか否かは、ネットワーク次第である。このため、ネットワークは、ＲＡ送信が共有データ送信と直交するか否かについても制御する。
【００１９】
ＲＡＣＨフォーマットおよび関連するパラメータ
ＬＴＥにおけるＲＡＣＨバーストには、サイクリックプレフィックス、ＲＡＣＨプリアンブル、およびガードインターバルを含む。サイクリックプレフィックスは、ＲＡＣＨバーストの最初にあり、ＲＡＣＨプリアンブルの最後の部分のコピーである。サイクリックプレフィックスによれば、ｅＮＢのＲＡＣＨ受信機において、ＲＡＣＨバーストの効率的な周波数領域処理が可能となる。ガードインターバルは、セル中の未知のラウンドトリップ遅延を考慮する。サイクリックプレフィックスおよびガードインターバルはともに、適正な運用を保証するため、最大ラウンドトリップ遅延よりも大きくする必要がある。
【００２０】
ＬＴＥ規格は、３つのＲＡＣＨプリアンブルフォーマットを規定する。
１．１ｍｓにわたる標準規格：ＲＡＣＨバーストのプリアンブル部は、繰り返されない。サイクリックプレフィックスおよびガード期間がバランスされて、約１５ｋｍのセルサイズが可能となる（ラウンドトリップ遅延のみを考慮し、リンクバジェットは考慮しない）。
２．２ｍｓにわたってサイクリックプレフィックスが拡張されたフォーマット：このフォーマットは、拡張されたサイクリックプレフィックスおよびガード期間を提供するが、プリアンブルは繰り返されない。サイクリックプレフィックスおよびガード期間がバランスされて、約８０〜９０ｋｍのセルサイズが可能となる（ラウンドトリップ遅延のみを考慮し、リンクバジェットは考慮しない）。
３．繰り返しプリアンブルフォーマット：受信機におけるより高い受信エネルギーを可能にするため、プリアンブルが繰り返される。
【００２１】
一般的に、ＲＡ設定パラメータには、Ｌ１パラメータおよび上位レイヤ関連パラメータを含む。
【００２２】
物理レイヤの観点から、Ｌ１  ＲＡ手順は、ＲＡプリアンブルおよびＲＡＲの送信を包含する。その他のメッセージは、共有データチャネル上の上位レイヤによる送信用にスケジューリングされるため、Ｌ１ランダムアクセス手順の一部とは考えられない。例示的なＬ１パラメータとしては、ランダムアクセスチャネルパラメータ（たとえば、ＰＲＡＣＨ設定および周波数位置）ならびにプライマリセル用のプリアンブルシーケンスセット中のルートシーケンスおよびそれぞれの巡回シフトを決定するパラメータ（たとえば、論理的ルートシーケンステーブルの索引、巡回シフト、およびセットタイプ（無制限または制限セット））が挙げられるが、これらに限定されない。
【発明の概要】
【００２３】
第１の態様によれば、ユーザ機器において、ランダムアクセス手順を実行する方法が提供される。この方法は、サービングセルへの参照信号（ＲＳ）送信の切り替えのリクエストを受信することを含む。この方法は、ＲＳ切り替えに関して、サービングセルへのランダムアクセス再送信の最大数を制限することにより、サービングセルに対するランダムアクセス手順を適応的に実行することをさらに含む。
【００２４】
ランダムアクセス再送信は、ランダムアクセスプリアンブル再送信であってもよい。サービングセルは、物理アップリンク共有チャネル（ＰＵＳＣＨ）を伴わないセカンダリサービングセル（ＳＣｅｌｌ）であってもよい。ランダムアクセス手順は、非競合ベースの物理ランダムアクセスチャネル（ＰＲＡＣＨ）手順であってもよく、ランダムアクセス再送信は、非競合ベースのＰＲＡＣＨ送信であってもよい。
【００２５】
この方法は、第１のキャリア周波数に属するセルにおいて第１の組の参照時間リソースを決定することをさらに含んでいてもよく、サービングセルは、第２のキャリア周波数で動作する。本実施形態において、サービングセルへのランダムアクセス再送信の最大数を制限することは、決定した第１の組の参照時間リソース中のサービングセルへのランダムアクセス再送信の最大数を制限することを含んでいてもよい。第１の組の参照時間リソースは、測定を実行するためのものであってもよい。すなわち、第１の組の参照時間リソースは、ユーザ機器によって、測定の実行に用いられてもよい。
【００２６】
サービングセルへのＲＳ送信の切り替えのリクエストを受信するステップは、無線リソース制御（ＲＲＣ）シグナリングによって１つまたは複数のＲＳ切り替えメッセージを受信することを含んでいてもよい。
【００２７】
ＲＳ切り替えは、キャリアベースのＲＳ切り替えであってもよい。
【００２８】
参照信号（ＲＳ）は、サウンディング参照信号（ＳＲＳ）であってもよい。ただし、ＲＳは、復調参照信号（ＤＭＲＳ）、ＵＥ固有参照信号、またはパイロット信号等、任意の種類の参照信号であってもよいが、これらに限定されない。
【００２９】
第１の態様によれば、ネットワークノードにおける方法がさらに提供される。この方法は、リクエストをユーザ機器に送信することであって、リクエストが、サービングセルへの参照信号（ＲＳ）送信の切り替えのリクエストを含む、送信することを含む。この方法は、参照信号（ＲＳ）切り替えに関して、ランダムアクセス手順を適応させるユーザ機器の能力に関する情報を取得することであって、この適応が、ＲＳ切り替えに関してサービングセルへのランダムアクセス再送信の最大数を制限することを含む、取得することをさらに含む。
【００３０】
このネットワークノードにおける方法は、ＲＳ切り替えに関して、サービングセルに対するユーザ機器のランダムアクセス送信を制御することをさらに含んでいてもよい。この制御は、ＲＳ切り替えに関して、ユーザ機器により実行されるランダムアクセス手順を適応させることを含んでいてもよく、適応は、ＲＳ切り替えに関して、サービングセルへのランダムアクセス再送信の最大数を制限することを含む。
【００３１】
このネットワークノードにおける方法は、ユーザ機器について、第１のキャリア周波数に属する第１のセルにおいて第１の組の参照時間リソースを決定することをさらに含んでいてもよく、サービングセルは、第２のキャリア周波数で動作する。
【００３２】
リクエストをユーザ機器に送信することは、無線リソース制御（ＲＲＣ）シグナリングによって１つまたは複数のＲＳ切り替えメッセージを送信することを含んでいてもよい。
【００３３】
ランダムアクセス再送信は、ランダムアクセスプリアンブル再送信であってもよい。サービングセルは、物理アップリンク共有チャネル（ＰＵＳＣＨ）を伴わないセカンダリサービングセル（ＳＣｅｌｌ）であってもよい。ランダムアクセス手順は、非競合ベースの物理ランダムアクセスチャネル（ＰＲＡＣＨ）手順であってもよく、ランダムアクセス再送信は、非競合ベースのＰＲＡＣＨ送信であってもよい。
【００３４】
ＲＳ切り替えは、キャリアベースのＲＳ切り替えであってもよい。
【００３５】
ＲＳは、サウンディング参照信号であってもよい。ただし、ＲＳは、復調参照信号（ＤＭＲＳ）、ＵＥ固有参照信号、またはパイロット信号等、任意の種類の参照信号であってもよいが、これらに限定されない。
【００３６】
第１の態様によれば、１つまたは複数のプロセッサを備えたユーザ機器がさらに提供される。１つまたは複数のプロセッサは、サービングセルへの参照信号（ＲＳ）送信の切り替えのリクエストを受信するように設定されている。１つまたは複数のプロセッサは、ＲＳ切り替えに関して、サービングセルへのランダムアクセス再送信の最大数を制限することにより、サービングセルに対するランダムアクセス手順を適応的に実行するようにさらに設定されている。
【００３７】
ランダムアクセス再送信は、ランダムアクセスプリアンブル再送信であってもよい。サービングセルは、物理アップリンク共有チャネル（ＰＵＳＣＨ）を伴わないセカンダリサービングセル（ＳＣｅｌｌ）であってもよい。ランダムアクセス手順は、非競合ベースの物理ランダムアクセスチャネル（ＰＲＡＣＨ）手順であってもよく、ランダムアクセス再送信は、非競合ベースのＰＲＡＣＨ送信であってもよい。
【００３８】
１つまたは複数のプロセッサは、第１のキャリア周波数に属するセルにおいて第１の組の参照時間リソースを決定するようにさらに設定されていてもよく、サービングセルは、第２のキャリア周波数で動作する。１つまたは複数のプロセッサは、決定された第１の組の参照時間リソース中のサービングセルへのランダムアクセス再送信の最大数を制限するように設定されていてもよい。第１の組の参照時間リソースは、測定の実行に用いられてもよい。
【００３９】
１つまたは複数のプロセッサは、無線リソース制御（ＲＲＣ）シグナリングによって１つまたは複数のＲＳ切り替えメッセージを受信することにより、サービングセルへのＲＳ送信の切り替えのリクエストを受信するように設定されていてもよい。
【００４０】
ＲＳ切り替えは、キャリアベースのＲＳ切り替えであってもよい。
【００４１】
ＲＳは、サウンディング参照信号であってもよい。ただし、ＲＳは、復調参照信号（ＤＭＲＳ）、ＵＥ固有参照信号、またはパイロット信号等、任意の種類の参照信号であってもよいが、これらに限定されない。
【００４２】
第１の態様によれば、１つまたは複数のプロセッサを備えたネットワークノードがさらに提供される。１つまたは複数のプロセッサは、リクエストをユーザ機器に送信することであって、リクエストが、サービングセルへの参照信号（ＲＳ）送信の切り替えのリクエストを含む、送信することを行うように設定されている。１つまたは複数のプロセッサは、参照信号（ＲＳ）切り替えに関して、ランダムアクセス手順を適応させるユーザ機器の能力に関する情報を取得することであって、この適応が、ＲＳ切り替えに関してサービングセルへのランダムアクセス再送信の最大数を制限することを含む、取得することを行うようにさらに設定されている。
【００４３】
１つまたは複数のプロセッサは、ＲＳ切り替えに関して、サービングセルに対するユーザ機器のランダムアクセス送信を制御するようにさらに設定されていてもよい。特に、１つまたは複数のプロセッサは、ＲＳ切り替えに関して、ユーザ機器により実行されるランダムアクセス手順を適応させるように設定されていてもよく、その適応は、ＲＳ切り替えに関して、サービングセルへのランダムアクセス再送信の最大数を制限することを含む。
【００４４】
１つまたは複数のプロセッサは、ユーザ機器について、第１のキャリア周波数に属する第１のセルにおいて第１の組の参照時間リソースを決定するようにさらに設定されていてもよく、サービングセルは、第２のキャリア周波数で動作する。
【００４５】
いくつかの実施形態において、１つまたは複数のプロセッサは、無線リソース制御（ＲＲＣ）シグナリングによって１つまたは複数のＲＳ切り替えメッセージをユーザ機器に送信するように設定されていてもよい。
【００４６】
ランダムアクセス再送信は、ランダムアクセスプリアンブル再送信であってもよい。サービングセルは、物理アップリンク共有チャネル（ＰＵＳＣＨ）を伴わないセカンダリサービングセル（ＳＣｅｌｌ）であってもよい。ランダムアクセス手順は、非競合ベースの物理ランダムアクセスチャネル（ＰＲＡＣＨ）手順であってもよく、ランダムアクセス再送信は、非競合ベースのＰＲＡＣＨ送信であってもよい。
【００４７】
ＲＳ切り替えは、キャリアベースのＲＳ切り替えであってもよい。
【００４８】
ＲＳは、サウンディング参照信号であってもよい。ただし、ＲＳは、復調参照信号（ＤＭＲＳ）、ＵＥ固有参照信号、またはパイロット信号等、任意の種類の参照信号であってもよいが、これらに限定されない。
【００４９】
第２の態様によれば、ユーザ機器における方法が開示される。この方法は、参照信号（ＲＳ）切り替えに関して、ランダムアクセス手順を適応させるＵＥの能力を別のノードに示すことを含んでいてもよい。この方法は、少なくとも１つの第１のキャリア周波数（Ｆ１）に属する少なくとも１つのセル（ｃｅｌｌ１）において少なくとも１つの第１の組の参照時間リソース（Ｒ１）を決定することをさらに含んでいてもよい。この方法は、第２のキャリア周波数（Ｆ２）で１つまたは複数のランダムアクセス送信を行ってＲＳキャリアベース切り替えをサポートする一方、第１の組の参照時間リソース（Ｒ１）を考慮することをさらに含む。特定の実施形態においては、以下のうちの１つまたは複数が適用されてもよい。
少なくとも１つの第１のキャリア周波数（Ｆ１）に属する少なくとも１つのセル（ｃｅｌｌ１）において少なくとも１つの第１の組の参照時間リソース（Ｒ１）を決定することが、ランダムアクセス手順または設定のうちの１つまたは複数に対して第１の組の参照時間リソース（Ｒ１）を適応させることを含んでいてもよい。
第２のキャリア周波数（Ｆ２）で１つまたは複数のランダムアクセス送信を行ってＲＳキャリアベース切り替えをサポートすることが、第１のキャリア周波数（Ｆ１）と関連付けられた送信機リソースを使用することを含んでいてもよい。
この方法が、ランダムアクセス設定および／または手順が適応済みであることを別のノードに示すことを含んでいてもよい。
【００５０】
例示的な一実施形態によれば、ユーザ機器が開示される。このユーザ機器は、１つまたは複数のプロセッサを備える。１つまたは複数のプロセッサは、参照信号（ＲＳ）切り替えに関して、ランダムアクセス手順を適応させるＵＥの能力を別のノードに示すように設定されていてもよい。１つまたは複数のプロセッサは、少なくとも１つの第１のキャリア周波数（Ｆ１）に属する少なくとも１つのセル（ｃｅｌｌ１）において少なくとも１つの第１の組の参照時間リソース（Ｒ１）を決定するように設定されていてもよい。１つまたは複数のプロセッサは、第２のキャリア周波数（Ｆ２）で１つまたは複数のランダムアクセス送信を行ってＲＳキャリアベース切り替えをサポートする一方、第１の組の参照時間リソース（Ｒ１）を考慮するように設定されていてもよい。
【００５１】
例示的な別の実施形態によれば、ネットワークノードにおける方法が開示される。この方法は、参照信号（ＲＳ）切り替えに関して、ランダムアクセス手順を適応させるＵＥの能力に関する情報を取得することを含んでいてもよい。この方法は、ＵＥについて、少なくとも１つの第１のキャリア周波数（Ｆ１）に属する少なくとも１つのセル（ｃｅｌｌ１）において少なくとも１つの第１の組の参照時間リソース（Ｒ１）を決定することを含んでいてもよい。この方法は、ＲＳキャリアベース切り替えをサポートする第２のキャリア周波数（Ｆ２）でのＵＥのランダムアクセス送信と、決定した第１の組の参照時間リソース（Ｒ１）におけるＵＥの動作と、のうちの１つまたは複数を制御することを含む。特定の実施形態においては、以下のうちの１つまたは複数が適用されてもよい。
ＵＥについて、少なくとも１つの第１のキャリア周波数（Ｆ１）に属する少なくとも１つのセル（ｃｅｌｌ１）において少なくとも１つの第１の組の参照時間リソース（Ｒ１）を決定することが、ランダムアクセス手順または設定のうちの１つまたは複数に対して第１の組の参照時間リソース（Ｒ１）を適応させることを含んでいてもよい。
【００５２】
例示的な別の実施形態によれば、ネットワークノードが開示される。このネットワークノードは、１つまたは複数のプロセッサを備える。１つまたは複数のプロセッサは、参照信号（ＲＳ）切り替えに関して、ランダムアクセス手順を適応させるＵＥの能力に関する情報を取得するように設定されている。１つまたは複数のプロセッサは、ＵＥについて、少なくとも１つの第１のキャリア周波数（Ｆ１）に属する少なくとも１つのセル（ｃｅｌｌ１）において少なくとも１つの第１の組の参照時間リソース（Ｒ１）を決定するように設定されていてもよい。１つまたは複数のプロセッサは、ＲＳキャリアベース切り替えをサポートする第２のキャリア周波数（Ｆ２）でのＵＥのランダムアクセス送信と、決定した第１の組の参照時間リソース（Ｒ１）におけるＵＥの動作と、のうちの１つまたは複数を制御するように設定されている。
【００５３】
本開示の特定の実施形態は、１つまたは複数の技術的利点をもたらし得る。たとえば、特定の実施形態によれば、ＲＳキャリアベース切り替えに関して、ランダムアクセスに起因する付加的な中断のリスクが低減され得る。実施形態によれば、中断、言い換えると、無線測定に用いられる第１のキャリア周波数に属する第１のセルにおける第１の組の時間リソースに対する影響が抑えられる。このため、実施形態によれば、手順の実行の低下が抑えられる。当業者にとっては、他の利点についても容易に明らかとなり得る。特定の実施形態は、列挙した利点を有していなくてもよいし、列挙した利点の一部または全部を有していてもよい。
【００５４】
以下、開示の実施形態ならびにそれぞれの特徴および利点のより完全な理解のため、添付の図面と併せて、以下の説明を参照する。
【図面の簡単な説明】
【００５５】
【図１】ＵＬ送信サブフレームを示した図である。
【図２】３ＤＬ：２ＵＬのＴＤＤの一例を示した図である。
【図３】例示的な競合ベースのランダムアクセス手順を示した図である。
【図４】例示的な非競合ベースのランダムアクセス手順を示した図である。
【図５】特定の実施形態に係る、例示的な無線通信ネットワークの模式図である。
【図６】特定の実施形態に係る、ＳＲＳキャリアベース切り替えの例示的な設定を示した図である。
【図７】特定の実施形態に係る、ユーザ機器における方法のフロー図である。
【図８】特定の実施形態に係る、ネットワークノードにおける方法のフロー図である。
【図９】特定の実施形態に係る、例示的な無線機器の模式的ブロック図である。
【図１０】特定の実施形態に係る、例示的なネットワークノードの模式的ブロック図である。
【図１１】特定の実施形態に係る、例示的な無線ネットワークコントローラまたはコアネットワークノードの模式的ブロック図である。
【図１２】特定の実施形態に係る、例示的な無線機器の模式的ブロック図である。
【図１３】特定の実施形態に係る、例示的なネットワークノードの模式的ブロック図である。
【図１４】特定の実施形態に係る、ユーザ機器における方法のフロー図である。
【図１５】特定の実施形態に係る、ネットワークノードにおける方法のフロー図である。
【発明を実施するための形態】
【００５６】
上述の通り、ＲＡに対する既存の手法は、競合ベースまたは非競合ベースのいずれかが可能である。ただし、既存の手法には、特定の欠陥が考えられる。たとえば、ＳＲＳキャリアベース切り替えに関して用いられるＲＡ手順は、ＵＥにおいて、ＤＬおよびＵＬに対する付加的な中断を生じ得る。本開示では、既存の手法と関連付けられた上記および他の欠陥に対処し得る種々実施形態を検討する。
【００５７】
例示的な一実施形態によれば、ＵＥにおける方法が開示される。ＵＥは、ＳＲＳ切り替えに関して、ＲＡ手順を適応させるＵＥの能力を別のノードに示す。ＵＥは、少なくとも１つの第１のキャリア周波数（Ｆ１）に属する少なくとも１つのセル（ｃｅｌｌ１）において少なくとも１つの第１の組の参照時間リソース（Ｒ１）を決定する。特定の実施形態において、少なくとも１つの第１の組の参照時間リソース（Ｒ１）を決定することは、ＲＡ手順または設定のうちの１つまたは複数に対して第１の組の参照時間リソース（Ｒ１）を適応させることを含んでいてもよい。ＵＥは、第２のキャリア周波数（Ｆ２）で１つまたは複数のＲＡ送信を行ってＳＲＳキャリアベース切り替えをサポートする一方、決定された第１の組の参照時間リソース（Ｒ１）を考慮する。特定の実施形態において、第２のキャリア周波数（Ｆ２）で１つまたは複数のＲＡ送信を行うことは、第１のキャリア周波数（Ｆ１）と関連付けられた送信機リソースを使用することを含んでいてもよい。特定の実施形態において、ＵＥは、ＲＡ設定および／または手順が適応済みであることを別のノードに示すようにしてもよい。
【００５８】
例示的な別の実施形態によれば、ネットワークノードにおける方法が開示される。ネットワークノードは、ＳＲＳ切り替えに関して、ＲＡ手順を適応させるＵＥの能力に関する情報を取得する。ネットワークノードは、ＵＥについて、少なくとも１つの第１のキャリア周波数（Ｆ１）に属する少なくとも１つのセル（ｃｅｌｌ１）において少なくとも１つの第１の組の参照時間リソース（Ｒ１）を決定する。特定の実施形態において、ＵＥについて少なくとも１つの第１の組の参照時間リソース（Ｒ１）を決定することは、ランダムアクセス手順または設定のうちの１つまたは複数に対して第１の組の参照時間リソース（Ｒ１）を適応させることを含んでいてもよい。ネットワークノードは、ＳＲＳキャリアベース切り替えをサポートする第２のキャリア周波数（Ｆ２）でのＵＥのＲＡ送信と、決定した第１の組の参照時間リソース（Ｒ１）におけるＵＥの動作と、のうちの１つまたは複数を制御する。
【００５９】
本開示の特定の実施形態は、１つまたは複数の技術的利点をもたらし得る。たとえば、特定の実施形態によれば、ＳＲＳキャリアベース切り替えに関して、ランダムアクセスに起因する付加的な中断のリスクが低減され得る。当業者にとっては、他の利点についても容易に明らかとなり得る。特定の実施形態は、列挙した利点を有していなくてもよいし、列挙した利点の一部または全部を有していてもよい。
【００６０】
図５は、特定の実施形態に係る、ネットワーク１００の一実施形態を示したブロック図である。ネットワーク１００は、（区別なく無線機器１１０とも称し得る）１つまたは複数のＵＥ１１０および（区別なくｅＮＢ１１５とも称し得る）１つまたは複数のネットワークノード１１５を含む。ＵＥ１１０は、無線インターフェースを通じてネットワークノード１１５と通信するようにしてもよい。たとえば、ＵＥ１１０は、ネットワークノード１１５のうちの１つもしくは複数への無線信号の送信ならびに／またはネットワークノード１１５のうちの１つもしくは複数からの無線信号の受信を行うようにしてもよい。無線信号は、ボイストラフィック、データトラフィック、制御信号、および／またはその他任意適当な情報を含んでいてもよい。特定の実施形態において、ネットワークノード１１５と関連付けられた無線信号カバレッジのエリアは、セル１２５と称し得る。いくつかの実施形態において、ＵＥ１１０は、機器間（Ｄ２Ｄ）能力を有していてもよい。このため、ＵＥ１１０は、別のＵＥに対して直接、信号の受信および／または信号の送信が可能であってもよい。
【００６１】
特定の実施形態において、ネットワークノード１１５は、無線ネットワークコントローラとインターフェースしてもよい。無線ネットワークコントローラは、ネットワークノード１１５を制御するとともに、特定の無線リソース管理機能、モビリティ管理機能、および／または他の適当な機能を提供するようにしてもよい。特定の実施形態において、無線ネットワークコントローラの機能は、ネットワークノード１１５に含まれていてもよい。無線ネットワークコントローラは、コアネットワークノードとインターフェースしてもよい。特定の実施形態において、無線ネットワークコントローラは、相互接続ネットワーク１２０を介して、コアネットワークノードとインターフェースしてもよい。相互接続ネットワーク１２０は、オーディオ、ビデオ、信号、データ、メッセージ、またはこれらの任意の組み合わせを送信可能な如何なる相互接続システムを表していてもよい。相互接続ネットワーク１２０には、公衆交換電話網（ＰＳＴＮ）、パブリックもしくはプライベートデータネットワーク、ローカルエリアネットワーク（ＬＡＮ）、メトロポリタンエリアネットワーク（ＭＡＮ）、ワイドエリアネットワーク（ＷＡＮ）、ローカル、リージョナル、もしくはインターネット等のグローバル通信もしくはコンピュータネットワーク、有線もしくは無線ネットワーク、企業イントラネット、またはこれらの組み合わせを含むその他任意適当な通信リンクの全部または一部を含んでいてもよい。
【００６２】
いくつかの実施形態において、コアネットワークノードは、ＵＥ１１０の通信セッションの確立およびその他さまざまな機能を管理するようにしてもよい。ＵＥ１１０は、非アクセス層レイヤを用いて、コアネットワークノードと特定の信号を交換するようにしてもよい。非アクセス層シグナリングにおいては、無線アクセスネットワークを通じて、ＵＥ１１０とコアネットワークノードとの間で信号が透過的に受け渡されてもよい。特定の実施形態において、ネットワークノード１１５は、たとえばＸ２インターフェース等のノード間インターフェースを通じて、１つまたは複数のネットワークノードとインターフェースしてもよい。
【００６３】
上述の通り、ネットワーク１００の例示的な実施形態には、１つまたは複数の無線機器１１０と、無線機器１１０と（直接または間接的に）通信可能な１つまたは複数の異なる種類のネットワークノードとを含んでいてもよい。
【００６４】
いくつかの実施形態においては、非限定的な用語ＵＥが用いられる。本明細書に記載のＵＥ１１０としては、セルラーまたは移動体通信システムにおいてネットワークノード１１５または別のＵＥと通信可能な任意の種類の無線機器が可能である。また、ＵＥ１１０は、無線通信機器、ターゲット機器、Ｄ２Ｄ  ＵＥ、機械式通信ＵＥまたは機械間通信（Ｍ２Ｍ）が可能なＵＥ、低コストおよび／または低複雑性ＵＥ、ＵＥが搭載されたセンサ、ＰＤＡ、タブレット、ｉＰａｄ、移動端末、スマートフォン、ラップトップ組込型機器（ＬＥＥ）、ラップトップ搭載型機器（ＬＭＥ）、ＵＳＢドングル、加入者宅内機器（ＣＰＥ）等であってもよい。ＵＥ１１０は、そのサービングセルに関して通常カバレッジ下で動作してもよいし、拡張カバレッジ下で動作してもよい。拡張カバレッジは、区別なく拡大カバレッジとも称し得る。また、ＵＥ１１０は、複数のカバレッジレベル（たとえば、通常カバレッジ、拡張カバレッジレベル１、拡張カバレッジレベル２、拡張カバレッジレベル３等）で動作してもよい。また、場合によっては、ＵＥ１１０がカバレッジ外シナリオで動作してもよい。
【００６５】
本明細書において、用語「ネットワークノード」は、無線ネットワークノードまたは別のネットワークノード（たとえば、コアネットワークノード、ＭＳＣ、モビリティ管理エンティティ（ＭＭＥ）、運用と管理（Ｏ＆Ｍ）、ＯＳＳ、自己組織化ネットワーク（ＳＯＮ）、位置決めノード（たとえば、Ｅ−ＳＭＬＣ）、ドライブテスト最小化（ＭＤＴ）ノード等）を表していてもよい。
【００６６】
本明細書において使用する用語「無線ネットワークノード」としては、基地局（ＢＳ）、無線基地局、送受信基地局（ＢＴＳ）、基地局コントローラ（ＢＳＣ）、無線ネットワークコントローラ（ＲＮＣ）、エボルブドノードＢ（ｅＮＢまたはｅＮｏｄｅＢ）、ノードＢ、ＭＳＲ  ＢＳ等のマルチスタンダード無線機（ＭＳＲ）無線ノード、中継ノード、中継を制御するドナーノード、無線アクセスポイント（ＡＰ）、送信ポイント、送信ノード、リモート無線ユニット（ＲＲＵ）のリモート無線ヘッド（ＲＲＨ）、分散アンテナシステム（ＤＡＳ）のノード等のいずれかをさらに備え得る無線ネットワークに含まれる任意の種類のネットワークノードが可能である。
【００６７】
ネットワークノードおよびＵＥ等の専門用語は、非限定的に考えるものとし、特に、２つの間の特定の階層関係を暗示するものではない。一般的には、「ｅＮｏｄｅＢ」を機器１、「ＵＥ」を機器２と考えることも可能であり、これら２つの機器は、何らかの無線チャネルを通じて互いに通信する。
【００６８】
ＵＥ１１０、ネットワークノード１１５、および他のネットワークノード（無線ネットワークコントローラまたはコアネットワークノード等）の例示的な実施形態については、図９〜図１３に関して以下により詳しく説明する。
【００６９】
図５は、ネットワーク１００の特定の構成を示しているものの、本開示では、本明細書に記載の種々実施形態が任意適当な設定の多様なネットワークに適用可能であるものと考える。たとえば、ネットワーク１００は、任意適当な数のＵＥ１１０およびネットワークノード１１５のほか、ＵＥ間またはＵＥと別の通信機器（固定電話等）との間の通信をサポートするのに適した任意の付加的な要素を含んでいてもよい。
【００７０】
さらに、ＬＴＥネットワークにおける実装として特定の実施形態を説明可能であるが、これらの実施形態は、（５Ｇ規格を含む）任意適当な通信規格をサポートするとともに任意適当な構成要素を使用する任意適当な種類の電気通信システムにおいて実装されるようになっていてもよく、また、ＵＥが信号（たとえば、データ）を受信および／または送信する任意の無線アクセス技術（ＲＡＴ）またはマルチＲＡＴシステムに適用可能である。たとえば、本明細書に記載の種々実施形態は、ＵＴＲＡ、Ｅ−ＵＴＲＡ、狭帯域インターネットオブシングス（ＮＢ−ＩｏＴ）、Ｗｉ−Ｆｉ、Ｂｌｕｅｔｏｏｔｈ、次世代ＲＡＴ（ＮＲ）、４Ｇ、５Ｇ、ＬＴＥ、ＬＴＥアドバンスト、ＵＭＴＳ、ＨＳＰＡ、ＧＳＭ、ｃｄｍａ２０００、ＷＣＤＭＡ、ＷｉＭａｘ、ＵＭＢ、別の適当な無線アクセス技術、または１つもしくは複数の無線アクセス技術の任意適当な組み合わせに適用可能であってもよい。第１および第２のノードのいずれかは、単一または複数のＲＡＴをサポート可能であってもよい。ダウンリンクの無線送信の文脈で特定の実施形態を説明可能であるが、本開示では、種々実施形態がアップリンクにおいても等しく適用可能であるものと考える。
【００７１】
本明細書において、本明細書において使用する時間リソースという用語は、時間の長さの観点で表現される任意の種類の物理リソースまたは無線リソースに対応していてもよい。時間リソースの例としては、シンボル、タイムスロット、サブフレーム、無線フレーム、送信時間間隔（ＴＴＩ）、インターリーブ時間等が挙げられるが、これらに限定されない。
【００７２】
本明細書において、用語「無線測定」は、無線信号に関して実行される任意の測定を表していてもよい。無線測定は、絶対的または相対的に行うことができる。無線測定は、たとえば周波数内、周波数間、ＣＡ等が可能である。無線測定は、単方向性（たとえば、ＤＬまたはＵＬ）または双方向性（たとえば、ラウンドトリップタイム（ＲＴＴ）、受信−送信（Ｒｘ−Ｔｘ）等）が可能である。無線測定のいくつかの例としては、タイミング測定（たとえば、到達時間（ＴＯＡ）、タイミングアドバンス、ＲＴＴ、参照信号時間差（ＲＳＴＤ）、ＳＳＴＤ、Ｒｘ−Ｔｘ、伝搬遅延等）、角度測定（たとえば、到達角度）、電力ベース測定（たとえば、受信信号電力、参照信号受信電力（ＲＳＲＰ）、受信信号品質、参照信号受信品質（ＲＳＲＱ）、信号対干渉・雑音比（ＳＩＮＲ）、信号対雑音比（ＳＮＲ）、チャネル状態情報（ＣＳＩ）、チャネル品質インジケータ（ＣＱＩ）、プリコーディングマトリクスインジケータ（ＰＭＩ）、干渉電力、総干渉・雑音、受信信号強度インジケータ（ＲＳＳＩ）、雑音電力等）、セル検出または識別、ビーム検出またはビーム識別、システム情報測定、無線リンク管理（ＲＬＭ）が挙げられるが、これらに限定されない。
【００７３】
本明細書において、ＳＲＳという用語は、任意の種類の参照信号（ＲＳ）を表していてもよく、より一般的には、ネットワークノードがＵＬ信号品質（たとえば、ＵＬ  ＳＮＲ、ＳＩＮＲ等）を決定できるように、ＵＬにおいてＵＥにより送信された物理無線信号を表していてもよい。このような参照信号の例としては、サウンディング参照信号、復調参照信号（ＤＭＲＳ）、ＵＥ固有参照信号、またはパイロット信号等が挙げられるが、これらに限定されない。実施形態は、任意の種類のＲＳ（すなわち、任意の種類のＲＳを送信するキャリアの切り替え）に適用可能である。
【００７４】
いくつかの実施形態においては、さまざまなキャリア上でのＳＲＳ送信を説明するのに、「ＳＲＳ切り替え」および「ＳＲＳキャリアベース切り替え」という用語が区別なく用いられてもよい。ＳＲＳ切り替えは、時間および／または周波数領域パターンに基づいていてもよい。ＳＲＳ切り替えには、上述のＳＲＳ送信タイプまたは他のＳＲＳ送信タイプをさらに含んでいてもよい。以下、より多くの例示的なシナリオを説明する。
【００７５】
本明細書において使用するランダムアクセスという用語は、非競合ベースのＰＲＡＣＨ送信であってもよい。一例において、ＰＲＡＣＨ送信は、ＰＵＳＣＨを伴わないＳＲＳセカンダリセル（ＳＣｅｌｌ）（すなわち、ＰＵＳＣＨが設定されていないＳＣｅｌｌ）に対して行われてもよい。ＰＲＡＣＨは、ＰＵＳＣＨを伴わないＳＣｅｌｌを含むタイミングアドバンスグループ（ＴＡＧ）のタイミングアドバンスパラメータをネットワークノードが推定できるように送信される。一般的に、ＳＲＳ切り替えと関連するランダムアクセスは、競合ベースまたは非競合ベースであってもよく、たとえばＳＣｅｌｌ、ＰＳＣｅｌｌ、またはＰＣｅｌｌ上で実行されてもよい。
【００７６】
例示的なシナリオ
ＳＲＳキャリアベース切り替えを伴う例示的な配置シナリオ
基本的なシナリオの一例としては、第１のキャリア周波数（ｆ１）で動作するプライマリサービングセル（たとえば、ＰＣｅｌｌ）により第１のネットワークノードがＵＥにサービスを提供する。また、第１のＳＣｅｌｌとしても知られる少なくとも１つのセカンダリサービングセル（すなわち、ＳＣｅｌｌ）もＵＥにサービスを提供可能である。２つ以上のＳＣｅｌｌ（たとえば、第２のキャリア周波数（ｆ２）で動作する第１のＳＣｅｌｌおよび第３のキャリア周波数（ｆ３）で動作する第２のＳＣｅｌｌ）がＵＥにサービスを提供可能であってもよい。３つ以上のＳＣｅｌｌの場合にも同じことが当てはまる。キャリアｆ１を区別なくプライマリＣＣ（ＰＣＣ）と称し、キャリアｆ２、ｆ３、・・・、ｆ（ｎ）をそれぞれ区別なくセカンダリＣＣ（ＳＣＣ１、ＳＣＣ２、・・・、ＳＣＣ（ｎ−１））等と称するようにしてもよい。
【００７７】
一例においては、ｆ１、ｆ２、およびｆ３がすべてライセンススペクトルに属する。他の組み合わせも可能である。さらに別の例においては、キャリアｆ１およびｆ３がライセンススペクトルまたは帯域に属する一方、ｆ２がアンライセンススペクトルまたは周波数帯域に属する。アンライセンススペクトルまたは帯域においては、コンテンションベースの送信が可能である（すなわち、特定のフェアネス制約（たとえば、Ｌｉｓｔｅｎ  Ｂｅｆｏｒｅ  Ｔａｌｋ（ＬＢＴ））に基づいて、２つ以上の機器（たとえば、ＵＥまたはネットワークノード）がスペクトルの同じ部分にもアクセス可能である）。この場合、スペクトルを所有するオペレータ（または、ユーザもしくは送信機）は存在しない。ライセンススペクトルまたはライセンス帯域においては、コンテンションフリーの送信のみが可能である（すなわち、スペクトルライセンスの所有者により許可された機器（たとえば、ＵＥまたはネットワークノード）のみがライセンススペクトルにアクセス可能である）。使用の一例においては、すべてのキャリアがアンライセンススペクトル、ライセンス供給スペクトル、またはＬＢＴが必要なスペクトルに含まれ得る。
【００７８】
一例においては、ＵＥのＣＣおよび対応するサービングセルがすべて、同じノードに含まれていてもよい。別の例においては、ＣＣの少なくとも２つが異なるノードに含まれていてもよい。これらの異なるノードは、同一場所に配置されていてもよいし、同一場所に配置されていなくてもよい。
【００７９】
一例においては、ＵＥのＣＣおよび対応するサービングセルがすべて、同じタイミングアドバンスグループ（ＴＡＧ）（たとえば、ｐＴＡＧ）に設定されていてもよい。別の例においては、ＵＥの一部のＣＣおよび対応するサービングセルが１つのＴＡＧ（たとえば、ｐＴＡＧ）に設定され、残りのＣＣが別のＴＡＧ（たとえば、ｓＴＡＧ）に設定されていてもよい。さらに別の例において、ＵＥには、２つ以上のＴＡＧが設定されていてもよい。
【００８０】
また、上記シナリオには、対応するＣＡ設定に基づいて実行されるＤＣまたはマルチコネクティビティ運用を含んでいてもよく、この場合は、たとえば異なる実施形態のＰＳＣｅｌｌが一組のＳＣｅｌｌに属していてもよい。
【００８１】
別の例において、第１および第２のＳＲＳ送信は、異なるＳＲＳタイプを有していてもよい。別の例において、第１および／または第２のＳＲＳ送信は、ＳＲＳ切り替え送信を含む場合、非周期的なＳＲＳタイプを有する（ＳＲＳ切り替え設定によりトリガされてもよい）。一方、第１および／または第２のＳＲＳ送信は、非ＳＲＳ切り替え送信を含む場合、非周期的なＳＲＳタイプを有していてもよいし、有していなくてもよい。
【００８２】
ＳＲＳ切り替えは、ネットワークおよび／またはＵＥにより制御されてもよい。
【００８３】
また、ＳＲＳ切り替え中のキャリアおよび／またはアンテナの切り替えによって、（ＳＲＳ送信が切り替えられる）ターゲットキャリアの設定および／またはアクティブ化等のＵＥ再設定、（ＳＲＳ送信が切り替えられた）元のキャリアの設定解除および／または非アクティブ化、遅延、性能低下等に起因すると考えられる（たとえば、ＰＣｅｌｌまたはアクティブ化ＳＣｅｌｌに対する）いくつかの中断が発生する可能性がある。
【００８４】
ＳＲＳキャリアベース切り替えを伴う例示的なＵＥ能力
特定の実施形態において、本明細書におけるＳＲＳ切り替えは、特定の目的でのＮ個の複数キャリア上のＳＲＳ送信であり、Ｍ＜Ｎであって、Ｍは同時／重複送信のＵＥ能力であり、ＮはＳＲＳ送信を伴うキャリアの数である。
【００８５】
特定の実施形態によれば、ＳＲＳ切り替えには、Ｋ＜Ｍ個のキャリアをさらに伴う。ここで、Ｋ個のキャリアは、切り替えに使用されないようになっていてもよい（たとえば、ＳＲＳ送信前／後のアクティブ化／非アクティブ化が不要であってもよい）。
【００８６】
特定の実施形態において、本明細書におけるＳＲＳキャリア切り替えは、Ｎ−Ｋ個のキャリアの場合のＳＲＳ切り替えである。
【００８７】
ＳＲＳキャリアベース切り替えの場合の別の例示的なシナリオ
ＳＲＳ切り替え（図５およびＳＲＳという用語に関して上述した「ＳＲＳ送信の切り替え」としても知られる）には、
第１のＳＲＳ送信の開始（または、対応するＳＲＳ設定の使用の開始／再開）と、
第２のＳＲＳ送信の停止（または、対応するＳＲＳ設定を用いたＳＲＳ送信の停止／一時中断）と、
の少なくとも一方を含んでいてもよい。
【００８８】
第１および第２のＳＲＳ送信は、同じキャリア周波数上もしくは異なるキャリア周波数上ならびに／または同じ１つもしくは複数のアンテナもしくはアンテナポート由来または異なる１つもしくは複数のアンテナもしくはアンテナポート由来であってもよい。同じキャリア周波数または異なるキャリア周波数がライセンスおよび／またはアンライセンススペクトル、同じＲＡＴまたは異なるＲＡＴに属していてもよい。第１および第２の送信の少なくとも一方は、ＳＲＳ切り替え送信を含むが、第１および第２の送信の一方は、ＳＲＳ切り替え送信を含まないものの、ＳＲＳ切り替え送信の影響を受けるＳＲＳ送信であってもよい。
【００８９】
一例において、（非ＳＲＳ切り替え送信を含む）第２のＳＲＳ送信は、（ＳＲＳ切り替え送信を含む）第１のＳＲＳが送信される前に、同じキャリア上で設定される。
【００９０】
別の例において、第１および第２のＳＲＳ送信は、ＳＲＳ切り替え送信を含み、この切り替えは、第２のＳＲＳ送信から第１のＳＲＳ送信への切り替えであり、異なるキャリア上で行われてもよい。
【００９１】
さらに別の例において、第１のＳＲＳ送信は、非ＳＲＳ切り替え送信であり、（ＳＲＳ切り替え送信を含む）第２のＳＲＳ送信が（たとえば、別のキャリアおよび／またはアンテナポートに）切り替えられ、このキャリアおよび／またはアンテナポート上で停止または一時中断された後に行われる。
【００９２】
さらに別の例において、第１および第２のＳＲＳ送信は、ＳＲＳ切り替え送信を含み、この切り替えは、第２のＳＲＳ送信から第１のＳＲＳ送信への切り替えであり、異なるアンテナポート上で行われる一方、同一または異なるキャリア上で行われてもよい。
【００９３】
さらに別の例において、ＳＲＳ切り替えには、キャリアベースのＳＲＳ切り替えおよび／またはアンテナベースのＳＲＳ切り替えを含んでいてもよい。
【００９４】
別の例において、第１および第２のＳＲＳ送信は、異なるＳＲＳタイプを含んでいてもよい。
【００９５】
別の例において、第１および／または第２のＳＲＳ送信は、ＳＲＳ切り替え送信を含む場合、非周期的なＳＲＳタイプを有する（ＳＲＳ切り替え設定によりトリガされてもよい）。一方、第１および／または第２のＳＲＳ送信は、非ＳＲＳ切り替え送信を含む場合、非周期的なＳＲＳタイプを有していてもよいし、有していなくてもよい。
【００９６】
ＳＲＳ切り替えは、ネットワークおよび／またはＵＥにより制御されてもよい。
【００９７】
また、ＳＲＳ切り替え中のキャリアおよび／またはアンテナの切り替えによって、（ＳＲＳ送信が切り替えられる）ターゲットキャリアの設定および／またはアクティブ化等のＵＥ再設定、（ＳＲＳ送信が切り替えられた）元のキャリアの設定解除および／または非アクティブ化、遅延、性能低下等に起因すると考えられる（たとえば、ＰＣｅｌｌまたはアクティブ化ＳＣｅｌｌに対する）いくつかの中断が発生する可能性がある。
【００９８】
図６は、特定の実施形態に係る、ＳＲＳキャリアベース切り替えの例示的な設定を示している。より詳細に、図６は、ＳＲＳキャリアベース切り替えに対して５ＤＬ  ＣＡおよび２ＵＬ（または、より多くのＵＬ）のキャリアアグリゲーションを伴う例示的な設定を示している。図６の例は、２ＵＬ  ＣＡとともに５ＤＬ  ＣＡを示しているが、１つのＵＬがＰＣｅｌｌにおいて固定され、ＳＲＳ切り替えがＳＣｅｌｌのうちの１つ（たとえば、ＳＣｅｌｌ１からＳＣｅｌｌ２）で行われる。このため、如何なる時点においても２ＵＬ  ＣＡの組み合わせである。ＤＬおよびＵＬそれぞれにおいてアグリゲーション数が異なるＣＣについても、同じ例示的なシナリオが見られる。場合によっては、キャリア（すなわち、ＣＣｙ、ＣＣｚ、ＣＣｕ、およびＣＣｖ）が異なる帯域に含まれていてもよい。たとえば、ＣＣｙが１ＧＨｚ未満の任意の帯域、ＣＣｚが２ＧＨｚ前後の任意の帯域、ＣＣｕが３．５ＧＨｚの任意の帯域に含まれていてもよい。図６の例において、ＣＡの組み合わせとしては、ＴＤＤ−ＴＤＤおよび／またはＦＤＤ−ＴＤＤが可能である。
【００９９】
アンライセンススペクトルまたは帯域においては、コンテンションベースの送信が可能である（すなわち、特定のフェアネス制約（たとえば、ＬＢＴ）に基づいて、２つ以上の機器（たとえば、ＵＥまたはネットワークノード）がスペクトルの同じ部分にもアクセス可能である）。この場合、スペクトルを所有するオペレータ（または、ユーザもしくは送信機）は存在しない。ライセンススペクトルまたはライセンス帯域においては、コンテンションフリーの送信のみが可能である（すなわち、スペクトルライセンスの所有者により許可された機器（たとえば、ＵＥまたはネットワークノード）のみがライセンススペクトルにアクセス可能である）。
【０１００】
本明細書において用語「サービス提供される」または「サービス提供されている」は、ＵＥに対応するサービングセルが設定され、サービングセル（たとえば、ＰＣｅｌｌまたはＳＣｅｌｌのうちのいずれか）上でネットワークノードに対するデータの受信および／または送信を行い得ることを意味する。データは、物理チャネル（たとえば、ＤＬのＰＤＳＣＨ、ＵＬのＰＵＳＣＨ等）を介して送信または受信される。
【０１０１】
ＵＥは、ＳＲＳ送信を任意適当に１つまたは複数のサービングセルへと切り替えるように要求されてもよい。たとえば、場合により、ＵＥは、ネットワークによって、ＳＲＳ送信を１つまたは複数のサービングセルへと切り替えるように要求されてもよい。いくつかの実施形態においては、無線リソース制御（ＲＲＣ）シグナリングを介して、１つまたは複数のＳＲＳ切り替えメッセージまたはコマンドがＵＥにより受信されてもよい。いくつかの実施形態においては、媒体アクセス制御（ＭＡＣ）制御エレメント（ＣＥ）コマンドを介して、１つまたは複数のＳＲＳ切り替えメッセージまたはコマンドがＵＥにより受信されてもよい。
【０１０２】
たとえば、特定の実施形態において以下のシグナリング例のうちの１つもしくは複数が適用されてもよい。
第１のサービングセルのＳＲＳ切り替えリクエストメッセージまたはコマンドを第２のネットワークノードから受信して、ＳＲＳキャリアを第１のサービングセルから切り替えること
第２のサービングセルのＳＲＳ切り替えリクエストメッセージまたはコマンドを第３のネットワークノードから受信して、ＳＲＳキャリアを第２のサービングセルから切り替えること
第３のサービングセルのＳＲＳ切り替えリクエストメッセージまたはコマンドを第４のネットワークノードから受信して、ＳＲＳキャリアを第３のサービングセルから切り替えること
【０１０３】
いくつかの実施形態においては、第１、第２、第３、および第４のネットワークノードのうちの少なくとも一部が同一である、あるいは、同じサイトまたは場所に配置されている。たとえば、このような実施形態において、ＵＥは、ＳＲＳキャリアを１つまたは複数のサービングセルから第１のネットワークノードに切り替える１つまたは複数のメッセージまたはコマンドを受信するようにしてもよい。また、たとえば、このような実施形態において、ＵＥは、１つまたは複数のサービングセルのＰＣｅｌｌからのＳＲＳ切り替えのための１つまたは複数のメッセージを受信するようにしてもよい。
【０１０４】
いくつかの実施形態において、第１、第２、第３、および第４のネットワークノードは如何なる組み合わせにおいても異なり、異なるサイトまたは場所に位置付けられていてもよいし、依然として同一場所に配置された論理的に異なるノードであってもよい。このような実施形態において、ＵＥは、１つまたは複数のサービングセルの各サービングセルからのＳＲＳキャリア切り替えのための１つまたは複数のメッセージを受信するようにしてもよい。
【０１０５】
本明細書に記載の種々実施形態は、アンライセンススペクトルの少なくとも１つのサービングセル（または場合により一方がラインセンス、他方がアンライセンススペクトルもしくは周波数帯域の２つのサービングセルについて）説明するものの、本開示は、これらの例に限定されない。むしろ、本開示では、アンライセンススペクトルまたは周波数帯域に属するコンポーネントキャリア（ＣＣ）上で少なくとも１つのサービングセルが動作する任意数のサービングセルを伴うシナリオを含めて、本明細書に記載の種々実施形態が任意適当なシナリオに適用可能であるものと考える。また、本明細書に記載の種々実施形態は、アンライセンススペクトルの少なくとも１つまたは複数のサービングセルについても適用可能であり、この場合は、関与するすべてのサービングセルがアンライセンススペクトルである。
【０１０６】
ＵＥにおける方法
特定の実施形態においては、ＵＥにおける方法が開示される。例示的な一実施形態によれば、この方法は、以下のステップを含む。
ステップ１：ＳＲＳ切り替えに関して、ＲＡ手順を適応させるＵＥの能力を別のノードに示す。
ステップ２：少なくとも１つの第１のキャリア周波数（Ｆ１）に属する少なくとも１つのセル（ｃｅｌｌ１）において少なくとも１つの第１の組の参照時間リソース（Ｒ１）を決定する。
特定の実施形態において、少なくとも１つの第１の組の参照時間リソース（Ｒ１）を決定することは、Ｒ１をＲＡ手順または設定に適応させることを含んでいてもよい。
ステップ３：第２のキャリア周波数（Ｆ２）で１つまたは複数のランダムアクセス送信を行ってＳＲＳキャリアベース切り替えをサポートする一方、決定された第１の組の参照時間リソース（Ｒ１）を考慮する。
特定の実施形態において、第２のキャリア周波数（Ｆ２）で１つまたは複数のランダムアクセス送信を行うことは、第１のキャリア周波数（Ｆ１）と関連付けられた送信機リソースを使用することを含んでいてもよい。
【０１０７】
特定の実施形態において、この方法は、ランダムアクセス設定および／または手順が適応済みであることを別のノードに示すことを含んでいてもよい。
【０１０８】
以下、例示的な本実施形態のさまざまなステップをより詳しく説明する。付加的な情報については、後述のネットワークノードにおける方法の記述に含まれる。
【０１０９】
ステップ１
このステップにおいて、ＵＥは、ＳＲＳ切り替えに関して、ＲＡ手順を適応させるＵＥの能力を別のノードに示すようにしてもよい。
【０１１０】
ＵＥは、その能力を別のノードに対して任意適当に（たとえば、シグナリングによって）示すようにしてもよい。別のノードは、任意適当なノード（たとえば、ネットワークノードまたは別のＵＥ）であってもよい。この能力は、任意適当に示されてもよい。たとえば、特定の実施形態において、ＵＥは、その能力の情報を別のノードに送るようにしてもよい。別の例において、特定の実施形態においては、ＵＥがその能力の指標を別のノードに送るようにしてもよい。
【０１１１】
ＵＥは、任意適当なタイミングで、その能力の情報を別のノードに送るようにしてもよい。たとえば、特定の実施形態において、この能力は、別のノードからのリクエスト、トリガイベントもしくは条件、または特定のメッセージの受信に際して送られてもよい。
【０１１２】
ステップ２
このステップにおいて、ＵＥは、少なくとも１つの第１のキャリア周波数（Ｆ１）に属する少なくとも１つのセル（ｃｅｌｌ１）において少なくとも１つの第１の組の参照時間リソース（Ｒ１）を決定するようにしてもよい。
【０１１３】
一例においては、Ｆ１がサービングセルを含んでいてもよい。Ｆ１は、ＣＡ用に設定されている場合、アクティブ化されていてもよいし、非アクティブ化されていてもよい。別の例において、Ｆ１は、周波数間キャリアであってもよいし、ＲＡＴ間キャリアであってもよい。
【０１１４】
また、別の実施形態において、ＵＥは、ＲＡに適応してＲ１を決定するようにしてもよい。
【０１１５】
参照時間リソースＲ１には、たとえば
特定の種類および／または目的の信号を伴うＤＬおよび／またはＵＬリソース（たとえば、位置決め信号、システム情報、発見参照信号（ＤＲＳ）、プライマリ同期信号（ＰＳＳ）／セカンダリ同期信号（ＳＳＳ）、チャネル状態情報参照信号（ＣＳＩ−ＲＳ）、ＳＲＳ、物理ブロードキャストチャネル（ＰＢＣＨ）等のブロードキャストチャネル、システム情報（たとえば、システム情報ブロック１（ＳＩＢ１）／マスター情報ブロック（ＭＩＢ）／ＳＩＢ２・・・）を伴うチャネル等）、
パターン（たとえば、時間領域制限測定サブフレームパターン、位置決め参照信号（ＰＲＳ）サブフレームパターン等）により指定されたリソース、
ＵＥが不連続受信（ＤＲＸ）／拡張ＤＲＸ（ｅＤＲＸ）の場合のオン持続時間中のリソース、
スペシャルサブフレーム（たとえば、ＴＤＤスペシャルサブフレーム）、
重要な信号を通常含み、通常はＵＥが測定を実行するサブフレーム＃０および＃５、
特定の時間間隔におけるリソース（たとえば、測定の完了に必要）、
ＵＥがＤＬ（たとえば、サブフレームｎ）においてメッセージを受信した場合に、所定の方法（たとえば、ｎ＋ｋ）で決定されたＵＥフィードバック（たとえば、ＡＣＫ／ＮＡＣＫ）を送信するＵＬリソース、
ＵＥがＦ１上で測定または動作を実行する測定ギャップ、
のうちの１つまたは複数を含んでいてもよい。
【０１１６】
この決定は、任意適当な基準に基づいていてもよい。特定の実施形態において、決定は、
物理レイヤおよび／または上位レイヤを介して、ユニキャスト、マルチキャスト、またはブロードキャストにより取得された別のノードからのメッセージまたは指標、
測定設定、
ＵＥアクティビティ設定（たとえば、ＤＲＸサイクル長、オン持続時間状態長等）、
ＤＲＳまたはＤＲＳ測定タイミング設定（ＤＭＴＣ）の設定、
所定のルール、テーブル、または要件（規格に基づくもの等）、
履歴、
のうちの１つまたは複数に基づいていてもよい。
【０１１７】
ステップ３
このステップにおいて、ＵＥは、第２のキャリア周波数（Ｆ２）で１つまたは複数のランダムアクセス（ＲＡ）送信を行ってＳＲＳキャリアベース切り替えをサポートする一方、決定された第１の組の参照時間リソース（Ｒ１）を考慮するようにしてもよい。
【０１１８】
より具体的に、ＵＥは、ＰＵＳＣＨを伴わないＳＲＳ  ＳＣｅｌｌに対して非競合ベースのＰＲＡＣＨ送信を適応的に実行することにより、測定の実行にＵＥが使用する別のセル上での時間リソースに対する影響を最小限に抑えるようにしてもよい。
【０１１９】
また、特定の実施形態において、ＵＥは、ＲＡ送信と関連付けられた第２の組の時間リソース（Ｒ２）を決定するようにしてもよい。第２の組の時間リソース（Ｒ２）は、
中断が発生し得る時間（たとえば、Ｆ２のアクティブ化または非アクティブ化時間、Ｆ２への切り替えおよびＦ２からの切り替えの時間等）、
ＲＡ送信を伴う時間リソース、
のいずれか一方または両方を含んでいてもよい。
【０１２０】
ＲＡ送信の例としては、ＲＡプリアンブル送信または再送信が挙げられるが、これらに限定されない。
【０１２１】
特定の実施形態において、ＵＥは、別のキャリア周波数（Ｆ１であってもよいし、別のキャリア周波数であってもよい）と関連付けられた送信機リソースを送信に使用するようにしてもよい。
【０１２２】
特定の実施形態において、ＵＥは、たとえばＲＡ設定もしくは手順パラメータ（たとえば、背景の項で上述したパラメータ参照）ならびに／または測定設定もしくは手順のうちの１つまたは複数を適応させることによって、決定された第１の組の参照時間リソース（Ｒ１）を考慮するようにしてもよい。
【０１２３】
この適応は、任意適当な適応であってもよい。たとえば、特定の実施形態において、この適応には、
ＲＡ送信の送信時およびＲＡ送信の数を適応させること、
Ｆ２に対するランダムアクセス送信を特定の期間にわたって遅延させることにより、少なくともＲ１での中断を回避／最小化／低減すること、
Ｒ１およびＲ２の重複を回避／最小化／低減すること、
Ｒ１およびＲ２の最も近いリソース間に（たとえば、１サブフレームまたはｎシンボル等の閾値を少なくとも上回る）何らかの時間ギャップを確保すること、
ＲＡ送信と関連するＦ２のアクティブ化および／または非アクティブ化時間を適応させること、
（たとえば、Ｒ１におけるＦ１のｃｅｌｌ１上の）中断を生じさせないこと、
中断がＲ１において時間のＸ％超で発生しないようにすること等、
（たとえば、ＵＥがＦ１のセルの第１の組の測定要件（Ｍ１）を満たすように、Ｒ１におけるｃｅｌｌ１上の）中断を生じさせないこと、
ＵＥがＦ１のセルの第２の測定要件（Ｍ２（Ｍ１よりも厳格ではない））を満たすように、たとえばＲ１におけるｃｅｌｌ１上の中断の量を制限すること、
ＲＡ再送信の確率が低くなるようにＲＡ  Ｌ１パラメータを設定すること、
ＲＡが完了するまで、Ｆ２から切り替えさせないこと（すなわち、すべてのＲＡ再送信を含めて、ＲＡ手順が完了するまで、キャリアを変えないこと）、
ＲＡ手順におけるＦ２からの切り替え数を抑えること（たとえば、一部（たとえば、最初のＲＡ送信）またはすべてのＲＡ送信について、応答が予想されるタイミングまで特定の時間にわたってＦ２から切り替えさせず、必要に応じて再送信を実行すること）、
ＳＲＳ切り替えに関して、ＲＡ再送信の最大数を制限すること、
ＵＥがＦ２に留まる必要があるＳＲＳ切り替えに関して、ＲＡ再送信の最大数を制限すること、
ＰＵＳＣＨを伴わないＳＲＳ  ＳＣｅｌｌに対してＰＲＡＣＨ送信（たとえば、非競合ベースのＲＡ）を適応させることにより、ＵＥにおいて、測定を実行する特定の期間中に少なくとも特定数の時間リソースが確実に利用可能となるようにすること（このルールは、以下の例によってさらに記述される）、
サービングセル中のＵＥにおける期間（Ｔ１）当たり、少なくともＮ１個の時間リソースが無線リンクモニタリングに確実に利用可能となるように、ＰＵＳＣＨを伴わないＳＲＳ  ＳＣｅｌｌに対してＰＲＡＣＨ送信（たとえば、非競合ベースのＲＡ）を適応させること（所定のルールによれば、サービングセル中のＵＥにおけるＴ１当たり、少なくともＮ１個の時間リソースがＲＬＭに利用可能であることを前提として、ＵＥが所定の要件（たとえば、ＲＬＭ、同期はずれと同期）を満たし、Ｎ１およびＴ１の例がそれぞれ、１つのサブフレームおよび無線フレームを含む）、
測定セル中のＵＥにおける期間（Ｔ２）当たり、少なくともＮ２個の時間リソースが無線測定（たとえば、ＲＳＲＰ、ＲＳＲＱ、ＲＳ−ＳＩＮＲ等）に確実に利用可能となるように、ＰＵＳＣＨを伴わないＳＲＳ  ＳＣｅｌｌに対してＰＲＡＣＨ送信（たとえば、非競合ベースのＲＡ）を適応させること（所定のルールによれば、サービングセル中のＵＥにおけるＴ２当たり、少なくともＮ２個の時間リソースがＲＬＭに利用可能であることを前提として、ＵＥが所定の要件（たとえば、ＲＳＲＰ）を満たし、Ｎ２およびＴ２の例がそれぞれ、１つのサブフレームおよび無線フレームである）、
測定セル中のＵＥにおける期間（Ｔ３）当たり、少なくともＮ３個の特定種類の時間リソースが無線測定（たとえば、セル探索、ＣＧＩ取得等）に確実に利用可能となるように、ＰＵＳＣＨを伴わないＳＲＳ  ＳＣｅｌｌに対してＰＲＡＣＨ送信（たとえば、非競合ベースのＲＡ）を適応させること（所定のルールによれば、識別対象のセル中のＵＥにおけるＴ３当たり、サブフレーム＃０およびサブフレーム＃５の少なくとも一方が利用可能であることを前提として、ＵＥが所定の要件（たとえば、セル識別遅延）を満たし、Ｔ３の例が無線フレームである）、
のうちの１つまたは複数を含んでいてもよい。
【０１２４】
ステップ４
特定の実施形態において、ＵＥは、ランダムアクセス設定および／または手順が適応済みであることを別のノードに示すようにしてもよい。
【０１２５】
ネットワークノードにおける方法
特定の実施形態においては、ネットワークノードにおける方法が開示される。例示的な一実施形態によれば、この方法は、以下のステップを含む。
ステップ１：ＳＲＳ切り替えに関して、ＲＡ手順を適応させるＵＥの能力に関する情報を取得する。
ステップ２：ＵＥについて、少なくとも１つの第１のキャリア周波数（Ｆ１）に属する少なくとも１つのセル（ｃｅｌｌ１）において少なくとも１つの第１の組の参照時間リソース（Ｒ１）を決定する。
特定の実施形態において、ＵＥについて少なくとも１つの第１の組の参照時間リソース（Ｒ１）を決定することは、Ｒ１をランダムアクセス手順または設定に適応させることを含んでいてもよい。
ステップ３：ＳＲＳキャリアベース切り替えをサポートする第２のキャリア周波数（Ｆ２）でのＵＥのＲＡ送信と、決定した第１の組の参照時間リソース（Ｒ１）におけるＵＥの動作と、のうちの１つまたは複数を制御する。
【０１２６】
以下、例示的な本実施形態のさまざまなステップをより詳しく説明する。付加的な情報については、上述のＵＥにおける方法の記述に含まれる。
【０１２７】
ステップ１
このステップにおいて、ネットワークノードは、ＳＲＳ切り替えに関して、ＲＡ手順を適応させるＵＥの能力に関する情報を取得するようにしてもよい。
【０１２８】
ネットワークノードは、ＵＥの能力に関する情報を任意適当に取得するようにしてもよい。たとえば、特定の実施形態において、ＵＥの能力に関する情報を取得することは、ＳＲＳ切り替えに関して、ＲＡ手順を適応させるＵＥの能力をネットワークノードにより自律して決定することを含んでいてもよい。別の例として、ＵＥは、そのＵＥまたは別のノード（たとえば、別のネットワークノード）から、ＵＥの能力の情報またはＵＥの能力の情報の指標を受信するようにしてもよい。
【０１２９】
特定の実施形態において、上記取得は、たとえばＵＥまたは別のノード（たとえば、サービングＢＳ）から受信されたメッセージに基づいていてもよい。
【０１３０】
ＵＥがＲＡ手順を適応させられない場合、ＲＡ手順／設定ならびに／または一組のリソースＲ１もしくは関連する手順／動作設定の適応は、ネットワークノードにより実行されてもよい。
【０１３１】
ステップ２
このステップにおいて、ネットワークノードは、ＵＥについて、少なくとも１つの第１のキャリア周波数（Ｆ１）に属する少なくとも１つのセル（ｃｅｌｌ１）において少なくとも１つの第１の組の参照時間リソース（Ｒ１）を決定するようにしてもよい。
【０１３２】
また、ＵＥは、ＲＡ送信と関連付けられた第２の組の時間リソース（Ｒ２）を決定するようにしてもよい。この組（Ｒ２）には、
中断が発生し得る時間（たとえば、Ｆ２のアクティブ化または非アクティブ化時間、Ｆ２への切り替えおよびＦ２からの切り替えの時間等）、
ＲＡ送信を伴う時間リソース、
のいずれか一方または両方を含んでいてもよい。
【０１３３】
Ｒ１のいくつかの例および（ＵＥにおける方法を記述した）上記適応方法を参照されたい。
【０１３４】
ステップ３
このステップにおいて、ネットワークノードは、ＳＲＳキャリアベース切り替えをサポートする第２のキャリア周波数（Ｆ２）でのＵＥのＲＡ送信と、決定した第１の組の参照時間リソース（Ｒ１）におけるＵＥの動作と、のうちの１つまたは複数を制御するようにしてもよい。
【０１３５】
特定の実施形態において、この制御には、ＲＡ手順／設定および／またはＲ１と関連付けられたＵＥの動作の適応を含んでいてもよい。上述の例示的な適応方法（ＵＥにおける方法を記述）を参照されたい。
【０１３６】
また、いくつかの実施形態において、上記制御には、ＲＡ送信と関連付けられた第２の組の時間リソース（Ｒ２）の決定を含んでいてもよい。また、第２の組の時間リソース（Ｒ２）には、中断が発生し得る時間または中断が許可される時間（たとえば、Ｆ２のアクティブ化または非アクティブ化時間、Ｆ２への切り替えおよびＦ２からの切り替えの時間等）を含んでいてもよい。
【０１３７】
特定の実施形態において、上記制御には、ＲＡ関連設定（背景の項の説明および上記実施形態の説明参照）、Ｒ２設定、Ｒ１と関連付けられた動作設定、またはＲ１設定のうちの１つまたは複数を含むメッセージをＵＥに送信することをさらに含んでいてもよい。この送信は、物理レイヤおよび／または上位レイヤを介したユニキャスト、マルチキャスト、またはブロードキャストであってもよい。
【０１３８】
規格の提案変更
以下の項は、３ＧＰＰ  ＴＳ  ３６．１３３  ｖ１４．１．０において修正可能である。
【０１３９】
７．６  無線リンクモニタリング
７．６．１  序論
ＵＥは、［２］に規定のパラメータＴ３１３、Ｎ３１３、およびＮ３１４が設定されていることを前提に、第７．６項でＰＳＣｅｌｌに対して指定された無線リンクモニタリング要件を満たすものとする。
【０１４０】
ＵＥは、［３］に指定されたＰＣｅｌｌおよびＰＳＣｅｌｌのダウンリンク無線リンク品質を検出するため、セル固有参照信号に基づいてダウンリンク品質をモニタリングするものとする。
【０１４１】
ＵＥは、ＰＣｅｌｌおよびＰＳＣｅｌｌのダウンリンク無線リンク品質のモニタリングを目的として、ダウンリンク無線リンク品質を推定し、閾値ＱｏｕｔおよびＱｉｎと比較するものとする。
【０１４２】
閾値Ｑｏｕｔは、ダウンリンク無線リンクを確実に受信できないレベルとして規定されており、表７．６．１−１に指定の送信パラメータでＰＤＦＩＣＨ誤りを考慮した仮想ＰＤＣＣＨ送信の１０％ブロック誤り率に対応するものとする。
【０１４３】
閾値Ｑｉｎは、Ｑｏｕｔよりもはるかに確実にダウンリンク無線リンク品質を受信可能なレベルとして規定されており、表７．６．１−２に指定の送信パラメータでＰＤＦＩＣＨ誤りを考慮した仮想ＰＤＣＣＨ送信の２％ブロック誤り率に対応するものとする。
【０１４４】
無線リンクモニタリングの制限に対して上位レイヤシグナリングが特定のサブフレームを指定する場合、無線リンク品質は、［３］に指定の通りモニタリングされるものとする。
【０１４５】
また、第７．６．２．１項、第７．６．２．２項、および第７．６．２．３項の要件は、以下の付加的な条件が満たされることも前提として、ＣＲＳ補助情報の有無に関わらず、無線リンクモニタリング測定を実行する時間領域測定リソース制限パターンが上位レイヤ（ＴＳ  ３６．３３１［２］）により設定される場合にも当てはまるものとする。
測定セルに対して設定された時間領域測定リソース制限パターンは、無線リンクモニタリング測定を実行する無線フレーム当たり少なくとも１つのサブフレームを指定する。
ＣＲＳ補助情報が提供された場合、ＣＲＳ補助情報［２］におけるすべての周波数内セルの送信帯域幅［３０］は、無線リンクモニタリングが実行されるＰＣｅｌｌの送信帯域幅以上である。
【０１４６】
ＣＲＳ補助情報が提供された場合、ＣＲＳ補助情報が提供された１つまたは複数のセル［２］の送信アンテナポートの数［１６］が、無線リンクモニタリングが実行されるセルの送信アンテナポート数と異なる場合は、第７．６項の要件も満たされるものとする。
注記：ＵＥにＣＲＳ補助情報が提供されていない場合（ＴＳ  ３６．３３１［２］）またはＣＲＳ補助情報が評価機関全体で有効ではない場合は、非ＭＢＳＦＮサブフレームにおいて設定されたＡＢＳとのＣＲＳ衝突の下、類似のリリース８および９要件が時間領域測定制限に適用される。
【０１４７】
ＰＵＳＣＨを伴わないＳＲＳ  ＳＣｅｌｌ全体で非競合ベースのＰＲＡＣＨ送信を実行するように設定されている場合にＳＲＳキャリアベース切り替えが可能なＵＥは、無線リンクモニタリングを実行するとともに、以下の条件が満たされることを前提として、第７．６項に規定の要件を満たすものとする。
ＰＣｅｌｌのＵＥにおける無線リンクモニタリングの実行には、少なくとも１つのダウンリンクサブフレームが利用可能である。
【０１４８】
８．１．２．７  Ｅ−ＵＴＲＡＮ  Ｅ−ＣＩＤ測定
８．１．２．７．１  Ｅ−ＵＴＲＡＮ  ＦＤＤ  ＵＥ  Ｒｘ−Ｔｘ時間差測定
ＤＲＸが用いられない場合、ＵＥ  Ｒｘ−Ｔｘ時間差測定の物理レイヤ測定周期は、２００ｍｓとする。
【０１４９】
ＲＲＣ＿ＣＯＮＮＥＣＴＥＤ状態においてＤＲＸが用いられる場合、ＵＥ  Ｒｘ−Ｔｘ時間差測定の物理レイヤ測定周期（Ｔｍｅａｓｕｒｅ＿ＦＤＤ＿ＵＥ＿Ｒｘ＿Ｔｘ１）は、表８．１．２．７．１−１に指定の通りとする。ＲＲＣ＿ＣＯＮＮＥＣＴＥＤ状態においてｅＤＲＸ＿ＣＯＮＮが用いられる場合、ＵＥ  Ｒｘ−Ｔｘ時間差測定の物理レイヤ測定周期（Ｔｍｅａｓｕｒｅ＿ＦＤＤ＿ＵＥ＿Ｒｘ＿Ｔｘ１）は、表８．１．２．７．１−２に指定の通りとする。
2019537335.tif 000003
2019537335.tif 000004
【０１５０】
ＵＥは、ハンドオーバによってＰＣｅｌｌが変化する間にＵＥ  Ｒｘ−Ｔｘ時間差測定を実行している場合、新たなセル上でＲｘ−Ｔｘ測定を再開するものとする。また、この場合、ＵＥは、ＵＥ  Ｒｘ−Ｔｘ時間差測定および精度要件を満たすものとする。ただし、ＵＥ  Ｒｘ−Ｔｘ測定の物理レイヤ測定周期は、以下の式に規定のＴｍｅａｓｕｒｅ＿ＦＤＤ＿ＵＥ＿Ｒｘ＿Ｔｘ３を超えないものとする。
Ｔｍｅａｓｕｒｅ＿ＦＤＤ＿ＵＥ＿Ｒｘ＿Ｔｘ３＝（Ｋ＋１）＊（Ｔｍｅａｓｕｒｅ＿ＦＤＤ＿ＵＥ＿Ｒｘ＿Ｔｘ１）＋Ｋ＊ＴＰＣｃｅｌｌ＿ｃｈａｎｇｅ＿ｈａｎｄｏｖｅｒ
ここで、
Ｋは、測定周期（Ｔｍｅａｓｕｒｅ＿ＦＤＤ＿ＵＥ＿Ｒｘ＿Ｔｘ３）にわたってＰＣｅｌｌが変化した回数であり、
ＴＰＣｅｌｌ＿ｃｈａｎｇｅ＿ｈａｎｄｏｖｅｒは、ハンドオーバによってＰＣｅｌｌが変化するのに必要な時間であり、最大では４５ｍｓが可能である。
【０１５１】
セカンダリコンポーネントキャリアが設定されている場合にＥ−ＵＴＲＡキャリアアグリゲーションをサポートするＵＥは、プライマリコンポーネントキャリアが変化したか否かに関わらず、ＰＣｅｌｌが変化する間にＵＥ  Ｒｘ−Ｔｘ時間差測定を実行している場合、新たなＰＣｅｌｌ上でＲｘ−Ｔｘ測定を再開するものとする。また、この場合、ＵＥは、新たなＰＣｅｌｌに対応するＵＥ  Ｒｘ−Ｔｘ時間差測定および精度要件を満たすものとする。ただし、ＵＥ  Ｒｘ−Ｔｘ測定の物理レイヤ測定周期は、以下の式に規定のＴｍｅａｓｕｒｅ＿ＦＤＤ＿ＵＥ＿Ｒｘ＿Ｔｘ２を超えないものとする。
Ｔｍｅａｓｕｒｅ＿ＦＤＤ＿ＵＥ＿Ｒｘ＿Ｔｘ２＝（Ｎ＋１）＊（Ｔｍｅａｓｕｒｅ＿ＦＤＤ＿ＵＥ＿Ｒｘ＿Ｔｘ１）＋Ｎ＊ＴＰＣｅｌｌ＿ｃｈａｎｇｅ＿ＣＡ
ここで、
Ｎは、測定周期（Ｔｍｅａｓｕｒｅ＿ＦＤＤ＿ＵＥ＿Ｒｘ＿Ｔｘ２）にわたってＰＣｅｌｌが変化した回数であり、
ＴＰＣｅｌｌ＿ｃｈａｎｇｅ＿ＣＡは、ＰＣｅｌｌが変化するのに必要な時間であり、最大では２５ｍｓが可能である。
【０１５２】
また、ＩＤＣ自律否定が設定されている場合、ＵＥは、少なくとも２００ｍｓのＩＤＣ自律否定有効期間にわたって設定されるＩＤＣ自律否定サブフレームが３０個以下であることを前提として、上記要件を満たすものとする。
【０１５３】
ＰＵＳＣＨを伴わないＳＲＳ  ＳＣｅｌｌ全体で非競合ベースのＰＲＡＣＨ送信を実行するように設定されている場合にＳＲＳキャリアベース切り替えが可能なＵＥは、無線リンクモニタリングを実行するとともに、以下の条件が満たされることを前提として、第８．１．２．７項に規定の要件を満たすものとする。
ＰＣｅｌｌのＵＥにおけるＵＥ  Ｒｘ−Ｔｘ時間差測定の実行には、少なくとも１つのダウンリンクサブフレームおよび１つのアップリンクサブフレームが利用可能である。
【０１５４】
ＤＲＸまたはｅＤＲＸ＿ＣＯＮＮが使用されるほか、ＤＲＸが使用されない場合のＵＥ  Ｒｘ−Ｔｘ時間差測定の測定精度は、第９．１．９項に指定の通りとする。
【０１５５】
８．３  Ｅ−ＵＴＲＡキャリアアグリゲーションの測定
８．３．１  序論
本項の要件は、Ｅ−ＵＴＲＡ  ＦＤＤ、Ｅ−ＵＴＲＡ  ＴＤＤ、および／またはＥ−ＵＴＲＡ  ＴＤＤ−ＦＤＤキャリアアグリゲーションをサポートするＵＥに適用可能である。
【０１５６】
第８．１．２．３項（Ｅ−ＵＴＲＡＮ周波数間測定および自律ギャップを伴うＥ−ＵＴＲＡＮ周波数間測定）の要件に従って、測定ギャップまたは自律ギャップを伴う非設定周波数が測定されてもよい。
【０１５７】
ＵＥの場合は、ＴＳ  ３６．３３１に指定の帯域間ＴＤＤ  ＣＡのための同時送受信をサポートしておらず、１つのＥ−ＵＴＲＡ帯域でアップリンクが発生するとともにＴＳ  ３６．１０１に指定の同時Ｒｘ／Ｔｘを伴わない帯域間ＣＡの要件に従うが、その場合の第８．３項の帯域間ＣＡ要件は、以下の付加的な条件の下、異なる帯域のＣＣにおいて用いられる異なるＴＤＤ  ＵＬ／ＤＬサブフレーム設定および／または異なるスペシャルサブフレーム設定でも適用されるものとする。
【０１５８】
ＵＥは、異なるＣＣ上のＵＬおよびＤＬにおいて同時にスケジューリングされず、測定セルにおける測定には、少なくともＤＬサブフレーム＃０またはＤＬサブフレーム＃５が利用可能である。
【０１５９】
ＰＵＳＣＨを伴わないＳＲＳ  ＳＣｅｌｌ全体で非競合ベースのＰＲＡＣＨ送信を実行するように設定されている場合にＳＲＳキャリアベース切り替えが可能なＵＥは、以下の条件が満たされることを前提として、第８．３項に規定の要件を満たすものとする。
測定セルのＵＥでの測定には、無線フレーム当たり少なくともＤＬサブフレーム＃０またはＤＬサブフレーム＃５が利用可能である。
【０１６０】
８．４  Ｅ−ＵＴＲＡＮキャリアアグリゲーションのＯＴＤＯＡ  ＲＳＴＤ測定
８．４．１  序論
本項には、Ｅ−ＵＴＲＡキャリアアグリゲーションのサポートのためのＵＥ能力に関するＲＳＴＤ測定要件を含む。本項の要件は、１つまたは２つのダウンリンクＳＣｅｌｌが設定済みのキャリアアグリゲーションが可能なすべてのＵＥに適用可能である。第８．１．２．６項の要件に従って、測定ギャップを伴う非設定周波数が測定されてもよい。すなわち、Ｅ−ＵＴＲＡＮ周波数間ＲＳＴＤ測定周期が適用される。本項の要件は、Ｅ−ＵＴＲＡ  ＦＤＤ、Ｅ−ＵＴＲＡ  ＴＤＤ、および／またはＥ−ＵＴＲＡ  ＴＤＤ−ＦＤＤキャリアアグリゲーションに適用可能である。
【０１６１】
ＵＥの場合は、ＴＳ  ３６．３３１［２］に指定の帯域間ＴＤＤ  ＣＡのための同時送受信をサポートしておらず、１つのＥ−ＵＴＲＡ帯域でアップリンクが発生するとともにＴＳ  ３６．１０１［５］に指定の同時Ｒｘ／Ｔｘを伴わない帯域間ＣＡの要件に従うが、その場合の第８．４項のＲＳＴＤ測定要件は、以下の付加的な条件の下、異なる帯域のＣＣにおいて用いられる異なるＴＤＤ  ＵＬ／ＤＬサブフレーム設定および／または異なるスペシャルサブフレーム設定でも適用されるものとする。
測定および参照セルにおけるＲＳＴＤ測定には、ＯＴＤＯＡ補助データにおいて示されるとともに第９．１．１０項に指定のすべての位置決めサブフレームが利用可能である。
ＵＥは、異なるＣＣ上のＵＬおよびＤＬにおいて同時にはスケジューリングされない。
【０１６２】
ＰＵＳＣＨを伴わないＳＲＳ  ＳＣｅｌｌ全体で非競合ベースのＰＲＡＣＨ送信を実行するように設定されている場合にＳＲＳキャリアベース切り替えが可能なＵＥは、以下の条件が満たされることを前提として、第８．４項に規定の要件を満たすものとする。
測定および参照セルのＵＥにおけるＲＳＴＤ測定には、ＯＴＤＯＡ補助データにおいて示されるとともに第９．１．１０項に指定のすべての位置決めサブフレームが利用可能である。
【０１６３】
８．４．３  セカンダリコンポーネントキャリア上の測定
すべてのセルが設定されたセカンダリコンポーネントキャリア上にある場合のＲＳＴＤ測定は、第８．１．２．５項に指定のすべての適用可能な要件（ＦＤＤまたはＴＤＤ）を満たすものとする。すなわち、［１７］に指定のＭＡＣ−ＣＥコマンドによって対応する周波数上のＳＣｅｌｌがアクティブ化されているか非アクティブ化されているかに関わらず、Ｅ−ＵＴＲＡＮ周波数内ＲＳＴＤ測定周期が適用される。
【０１６４】
セカンダリコンポーネントキャリア上のすべての測定のＲＳＴＤ測定精度は、第９．１．１２項に指定の精度に従って満たされるものとする。
【０１６５】
ＵＥは、ＳＣｅｌｌのアクティブ化／非アクティブ化ステータス、ＳＲＳキャリアベース切り替えが可能な場合ＰＵＳＣＨを伴わないＳＲＳ  ＳＣｅｌｌ全体で非競合ベースのＰＲＡＣＨ送信、およびＳＣｅｌｌが非アクティブ化されたＳＣＣに属するセル上のＲＳＴＤ測定のタイミングを考慮して、受信機帯域幅を再設定するようにしてもよい。これにより、同じ周波数帯域の隣接もしくは非隣接コンポーネントキャリアまたは異なる周波数帯域にＰＣｅｌｌおよびＳＣｅｌｌが属する場合には、ＰＣｅｌｌに対する中断（パケット中断）が発生する場合がある。この場合、ＵＥは、第７．１０項に指定の中断要件に従うものとする。ＰＣｅｌｌ上のＰＲＳ位置決め機会の間、ＰＣｅｌｌに対する中断が許可されないものとする。
【０１６６】
８．８  Ｅ−ＵＴＲＡデュアルコネクティビティの測定
８．８．１  序論
本項には、Ｅ−ＵＴＲＡデュアルコネクティビティをサポートするＵＥの要件を含む。本項の要件は、ＭＣＧまたはＳＣＧにおいて１つのＳＣｅｌｌが設定され、帯域間デュアルコネクティビティに対して１つのＰＳＣｅｌｌが設定されたＵＥに適用可能である。本項の要件は、Ｅ−ＵＴＲＡ  ＦＤＤ、Ｅ−ＵＴＲＡ  ＴＤＤ、および／またはＥ−ＵＴＲＡ  ＴＤＤ−ＦＤＤデュアルコネクティビティに適用可能である。
【０１６７】
ＰＵＳＣＨを伴わないＳＲＳ  ＳＣｅｌｌ全体で非競合ベースのＰＲＡＣＨ送信を実行するように設定されている場合にＳＲＳキャリアベース切り替えが可能なＵＥは、以下の条件が満たされることを前提として、第８．８項に規定の要件を満たすものとする。
測定セルのＵＥでの測定には、無線フレーム当たり少なくともＤＬサブフレーム＃０またはＤＬサブフレーム＃５が利用可能である。
【０１６８】
８．１２  フレーム構造３による運用下でのＥ−ＵＴＲＡキャリアアグリゲーションの発見信号測定
８．１２．１  序論
本項には、フレーム構造３による運用下でのＥ−ＵＴＲＡキャリアアグリゲーションをサポートのためのＵＥ能力に関する要件を含む。
【０１６９】
第８．１１．２．２項および第８．１１．３．２項の要件に従って、測定ギャップを伴う非設定周波数が測定されてもよい。
【０１７０】
第８．１２項の要件は、１つのＦＤＤ  ＰＣｅｌｌまたは１つのＴＤＤ  ＰＣｅｌｌおよびフレーム構造タイプ３［１６］に従う１つのＳＣＣ上のＳＣｅｌｌのＥ−ＵＴＲＡキャリアアグリゲーションに適用されるものとする。
【０１７１】
８．１２．２  Ｅ−ＵＴＲＡキャリアアグリゲーションのＣＲＳベース発見信号測定
８．１２．２．１  序論
第８．１２．２項の要件は、ＲＳＲＰおよびＲＳＲＱ測定［４］を含むＣＲＳベース発見信号測定に適用されるものとする。
【０１７２】
ＰＵＳＣＨを伴わないＳＲＳ  ＳＣｅｌｌ全体で非競合ベースのＰＲＡＣＨ送信を実行するように設定されている場合にＳＲＳキャリアベース切り替えが可能なＵＥは、以下の条件が満たされることを前提として、第８．１２．２項に規定の要件を満たすものとする。
測定セルのＵＥにおける測定には、第８．１２．２項に指定のＣＲＳベース発見信号を含む設定された発見信号機会の最小数が利用可能である。
【０１７３】
８．１２．３  Ｅ−ＵＴＲＡキャリアアグリゲーションのＣＳＩ−ＲＳベース発見信号測定の要件
８．１２．３．１  序論
第８．１２．３項の要件は、ＣＳＩ−ＲＳＲＰ測定［４］を含むＣＳＩ−ＲＳベース発見信号測定に適用されるものとする。
【０１７４】
ＰＵＳＣＨを伴わないＳＲＳ  ＳＣｅｌｌ全体で非競合ベースのＰＲＡＣＨ送信を実行するように設定されている場合にＳＲＳキャリアベース切り替えが可能なＵＥは、以下の条件が満たされることを前提として、第８．１２．３項に規定の要件を満たすものとする。
測定セルのＵＥにおける測定には、第８．１２．３項に指定のＣＳＩ−ＲＳベース発見信号を含む設定された発見信号機会の最小数が利用可能である。
【０１７５】
図７は、特定の実施形態に係る、ユーザ機器における方法のフロー図である。この方法は、ステップ７０４で開始となり、ＵＥが、サウンディング参照信号（ＳＲＳ）切り替えに関して、ランダムアクセス手順を適応させるＵＥの能力を別のノードに示す。ステップ７０８において、ＵＥは、少なくとも１つの第１のキャリア周波数（Ｆ１）に属する少なくとも１つのセル（ｃｅｌｌ１）において少なくとも１つの第１の組の参照時間リソース（Ｒ１）を決定する。特定の実施形態において、少なくとも１つの第１の組の参照時間リソース（Ｒ１）を決定することは、ランダムアクセス手順または設定のうちの１つまたは複数に対してＲ１を適応させることを含んでいてもよい。
【０１７６】
ステップ７１２において、ユーザ機器は、第２のキャリア周波数（Ｆ２）で１つまたは複数のランダムアクセス送信を行ってＳＲＳキャリアベース切り替えをサポートする一方、決定された第１の組の参照時間リソース（Ｒ１）を考慮する。特定の実施形態において、第２のキャリア周波数（Ｆ２）で１つまたは複数のランダムアクセス送信を行うことは、Ｆ１と関連付けられた送信機リソースを使用することを含んでいてもよい。特定の実施形態において、この方法は、ランダムアクセス設定および／または手順が適応済みであることを別のノードに示すことを含んでいてもよい。
【０１７７】
図８は、特定の実施形態に係る、ネットワークノードにおける方法のフロー図である。この方法は、ステップ８０４で開始となり、ネットワークノードが、サウンディング参照信号（ＳＲＳ）切り替えに関して、ランダムアクセス手順を適応させるＵＥの能力に関する情報を取得する。ステップ８０８において、ネットワークノードは、ＵＥについて、少なくとも１つの第１のキャリア周波数（Ｆ１）に属する少なくとも１つのセル（ｃｅｌｌ１）において少なくとも１つの第１の組の参照時間リソース（Ｒ１）を決定する。特定の実施形態において、ＵＥについて少なくとも１つの第１の組の参照時間リソース（Ｒ１）を決定することは、ランダムアクセス手順または設定のうちの１つまたは複数に対してＲ１を適応させることを含んでいてもよい。
【０１７８】
ステップ８１２において、ネットワークノードは、ＳＲＳキャリアベース切り替えをサポートする第２のキャリア周波数（Ｆ２）でのＵＥのランダムアクセス送信と、決定した第１の組の参照時間リソース（Ｒ１）におけるＵＥの動作と、のうちの１つまたは複数を制御する。
【０１７９】
図９は、特定の実施形態に係る、例示的な無線機器の模式的ブロック図である。無線機器１１０は、セルラーまたは移動体通信システムのノードおよび／または別の無線機器と通信する如何なる種類の無線機器を表していてもよい。無線機器１１０の例としては、携帯電話、スマートフォン、ＰＤＡ（個人用デジタル補助装置）、携帯型コンピュータ（たとえば、ラップトップ、タブレット）、センサ、モデム、機械式通信（ＭＴＣ）機器／機械間（Ｍ２Ｍ）機器、ラップトップ組込型機器（ＬＥＥ）、ラップトップ搭載型機器（ＬＭＥ）、ＵＳＢドングル、Ｄ２Ｄ対応機器、または無線通信を提供可能な別の機器が挙げられる。また、無線機器１１０は、いくつかの実施形態においてＵＥ、ステーション（ＳＴＡ）、機器、または端末と称する場合もある。無線機器１１０は、送受信機９１０、プロセッサ９２０、およびメモリ９３０を具備する。いくつかの実施形態において、送受信機９１０は、（たとえば、アンテナ９４０を介した）ネットワークノード１１５に対する無線信号の送信および受信を容易化し、プロセッサ９２０は、無線機器１１０により与えられている上述の機能の一部または全部を提供するように命令を実行し、メモリ９３０は、プロセッサ９２０により実行される命令を格納する。
【０１８０】
プロセッサ９２０は、１つまたは複数のモジュールに実装されたハードウェアおよびソフトウェアの任意適当な組み合わせを含むことにより、命令の実行およびデータの操作を行って、図１〜図８に関して上述した無線機器１１０の機能等、無線機器１１０の上記機能の一部または全部を実行するようにしてもよい。いくつかの実施形態において、プロセッサ９２０は、たとえば１つまたは複数のコンピュータ、１つまたは複数の中央演算処理ユニット（ＣＰＵ）、１つまたは複数のマイクロプロセッサ、１つまたは複数のアプリケーション、１つまたは複数の特定用途向け集積回路（ＡＳＩＣ）、１つまたは複数のフィールドプログラマブルゲートアレイ（ＦＰＧＡ）および／または他のロジックを含んでいてもよい。
【０１８１】
メモリ９３０は一般的に、コンピュータプログラム、ソフトウェア、１つまたは複数のロジックを含むアプリケーション、ルール、アルゴリズム、コード、タブレット等の命令および／またはプロセッサにより実行可能な他の命令を格納するように動作可能である。メモリ９３０の例としては、コンピュータメモリ（たとえば、ランダムアクセスメモリ（ＲＡＭ）またはリードオンリーメモリ（ＲＯＭ））、マスストレージ媒体（たとえば、ハードディスク）、リムーバブルストレージ媒体（たとえば、コンパクトディスク（ＣＤ）またはデジタルビデオディスク（ＤＶＤ））、ならびに／またはプロセッサ９２０が使用可能な情報、データ、および／もしくは命令を格納するその他任意の揮発性もしくは不揮発性、持続性コンピュータ可読および／もしくはコンピュータ実行可能メモリデバイスが挙げられる。
【０１８２】
無線機器１１０の他の実施形態には、上述の機能のいずれかおよび／または（上述の解決手段をサポートするのに必要な任意の機能を含む）別の機能等、無線機器の機能の特定の態様を提供する役割を担い得る図９に示したもの以外の付加的な構成要素を含んでいてもよい。ほんの一例として、無線機器１１０は、入力装置および回路、出力装置、ならびに１つもしくは複数の同期ユニットもしくは回路を具備していてもよく、これらはプロセッサ９２０の一部であってもよい。入力装置は、データを無線機器１１０に入力するメカニズムを含む。たとえば、入力装置は、マイク、入力要素、ディスプレイ等の入力メカニズムを含んでいてもよい。出力装置は、オーディオ、ビデオ、および／またはハードコピー様式のデータを出力するメカニズムを含んでいてもよい。たとえば、出力装置は、スピーカ、ディスプレイ等を含んでいてもよい。
【０１８３】
図１０は、特定の実施形態に係る、例示的なネットワークノードの模式的ブロック図である。ネットワークノード１１５は、ＵＥおよび／または別のネットワークノードと通信する任意の種類の無線ネットワークノードまたは任意のネットワークノードであってもよい。ネットワークノード１１５の例としては、ｅＮｏｄｅＢ、ノードＢ、基地局、無線アクセスポイント（たとえば、Ｗｉ−Ｆｉアクセスポイント）、低電力ノード、送受信基地局（ＢＴＳ）、中継器、中継を制御するドナーノード、送信ポイント、送信ノード、リモートＲＦユニット（ＲＲＵ）、リモート無線ヘッド（ＲＲＨ）、ＭＳＲ  ＢＳ等のマルチスタンダード無線（ＭＳＲ）無線ノード、分散アンテナシステム（ＤＡＳ）におけるノード、Ｏ＆Ｍ、ＯＳＳ、ＳＯＮ、位置決めノード（たとえば、Ｅ−ＳＭＬＣ）、ＭＤＴ、またはその他任意適当なネットワークノードが挙げられる。ネットワークノード１１５は、ホモジニアス配置、ヘテロジニアス配置、または混合配置でネットワーク１００全体に配置されていてもよい。ホモジニアス配置は一般的に、同一（または、同様）の種類のネットワークノード１１５ならびに／または類似のカバレッジ、セルサイズ、およびサイト間距離で設定された配置を表していてもよい。ヘテロジニアス配置は一般的に、セルサイズ、送信電力、容量、およびサイト間距離が異なる多様な種類のネットワークノード１１５を用いた配置を表していてもよい。たとえば、ヘテロジニアス配置には、マクロセルレイアウト全体に配置された複数の低電力ノードを含んでいてもよい。混合配置には、ホモジニアス部およびヘテロジニアス部の混合を含んでいてもよい。
【０１８４】
ネットワークノード１１５は、送受信機１０１０、プロセッサ１０２０、メモリ１０３０、およびネットワークインターフェース１０４０のうちの１つまたは複数を具備していてもよい。いくつかの実施形態において、送受信機１０１０は、（たとえば、アンテナ１０５０を介した）無線機器１１０に対する無線信号の送信および受信を容易化し、プロセッサ１０２０は、ネットワークノード１１５により与えられている上述の機能の一部または全部を提供するように命令を実行し、メモリ１０３０は、プロセッサ１０２０により実行される命令を格納し、ネットワークインターフェース１０４０は、ゲートウェイ、スイッチ、ルータ、インターネット、公衆交換電話網（ＰＳＴＮ）、コアネットワークノードまたは無線ネットワークコントローラ１３０等のバックエンドネットワーク構成要素に信号を伝達する。
【０１８５】
プロセッサ１０２０は、１つまたは複数のモジュールに実装されたハードウェアおよびソフトウェアの任意適当な組み合わせを含むことにより、命令の実行およびデータの操作を行って、図１〜図８に関して上述した機能等、ネットワークノード１１５の上記機能の一部または全部を実行するようにしてもよい。いくつかの実施形態において、プロセッサ１０２０は、たとえば１つまたは複数のコンピュータ、１つまたは複数の中央演算処理ユニット（ＣＰＵ）、１つまたは複数のマイクロプロセッサ、１つまたは複数のアプリケーション、および／または他のロジックを含んでいてもよい。
【０１８６】
メモリ１０３０は一般的に、コンピュータプログラム、ソフトウェア、１つまたは複数のロジックを含むアプリケーション、ルール、アルゴリズム、コード、タブレット等の命令および／またはプロセッサにより実行可能な他の命令を格納するように動作可能である。メモリ１０３０の例としては、コンピュータメモリ（たとえば、ランダムアクセスメモリ（ＲＡＭ）またはリードオンリーメモリ（ＲＯＭ））、マスストレージ媒体（たとえば、ハードディスク）、リムーバブルストレージ媒体（たとえば、コンパクトディスク（ＣＤ）またはデジタルビデオディスク（ＤＶＤ））、ならびに／または情報を格納するその他任意の揮発性もしくは不揮発性、持続性コンピュータ可読および／もしくはコンピュータ実行可能メモリデバイスが挙げられる。
【０１８７】
いくつかの実施形態において、ネットワークインターフェース１０４０は、プロセッサ１０２０に対して通信可能に結合されており、ネットワークノード１１５の入力の受信、ネットワークノード１１５からの出力の送信、入力、出力、もしくは両者の適当の処理の実行、他の機器との通信、またはこれらの任意の組み合わせを行うように動作し得る任意適当な機器を表していてもよい。ネットワークインターフェース１０４０には、プロトコル変換およびデータ処理能力等、ネットワークを介して通信する適当なハードウェア（たとえば、ポート、モデム、ネットワークインターフェースカード等）およびソフトウェアを含んでいてもよい。
【０１８８】
ネットワークノード１１５の他の実施形態には、上述の機能のいずれかおよび／または（上述の解決手段をサポートするのに必要な任意の機能を含む）別の機能等、無線ネットワークノードの機能の特定の態様を提供する役割を担い得る図１０に示したもの以外の付加的な構成要素を含んでいてもよい。さまざまな異なる種類のネットワークノードには、同じ物理ハードウェアを有するものの（たとえば、プログラミングによって）異なる無線アクセス技術をサポートするように設定された構成要素を含んでいてもよいし、部分的または全体的に異なる物理的構成要素を表していてもよい。
【０１８９】
図１１は、特定の実施形態に係る、例示的な無線ネットワークコントローラまたはコアネットワークノード１３０の模式的ブロック図である。ネットワークノードの例としては、モバイル交換センター（ＭＳＣ）、サービングＧＰＲＳサポートノード（ＳＧＳＮ）、モビリティ管理エンティティ（ＭＭＥ）、無線ネットワークコントローラ（ＲＮＣ）、基地局コントローラ（ＢＳＣ）等が挙げられる。無線ネットワークコントローラまたはコアネットワークノード１３０は、プロセッサ１１２０、メモリ１１３０、およびネットワークインターフェース１１４０を具備する。いくつかの実施形態において、プロセッサ１１２０は、ネットワークノードにより与えられている上述の機能の一部または全部を提供するように命令を実行し、メモリ１１３０は、プロセッサ１１２０により実行される命令を格納し、ネットワークインターフェース１１４０は、ゲートウェイ、スイッチ、ルータ、インターネット、公衆交換電話網（ＰＳＴＮ）、ネットワークノード１１５、無線ネットワークコントローラまたはコアネットワークノード１３０等の任意適当なノードに信号を伝達する。
【０１９０】
プロセッサ１１２０は、１つまたは複数のモジュールに実装されたハードウェアおよびソフトウェアの任意適当な組み合わせを含むことにより、命令の実行およびデータの操作を行って、無線ネットワークコントローラまたはコアネットワークノード１３０の上記機能の一部または全部を実行するようにしてもよい。いくつかの実施形態において、プロセッサ１１２０は、たとえば１つまたは複数のコンピュータ、１つまたは複数の中央演算処理ユニット（ＣＰＵ）、１つまたは複数のマイクロプロセッサ、１つまたは複数のアプリケーション、および／または他のロジックを含んでいてもよい。
【０１９１】
メモリ１１３０は一般的に、コンピュータプログラム、ソフトウェア、１つまたは複数のロジックを含むアプリケーション、ルール、アルゴリズム、コード、タブレット等の命令および／またはプロセッサにより実行可能な他の命令を格納するように動作可能である。メモリ１１３０の例としては、コンピュータメモリ（たとえば、ランダムアクセスメモリ（ＲＡＭ）またはリードオンリーメモリ（ＲＯＭ））、マスストレージ媒体（たとえば、ハードディスク）、リムーバブルストレージ媒体（たとえば、コンパクトディスク（ＣＤ）またはデジタルビデオディスク（ＤＶＤ））、ならびに／または情報を格納するその他任意の揮発性もしくは不揮発性、持続性コンピュータ可読および／もしくはコンピュータ実行可能メモリデバイスが挙げられる。
【０１９２】
いくつかの実施形態において、ネットワークインターフェース１１４０は、プロセッサ１１２０に対して通信可能に結合されており、ネットワークノードの入力の受信、ネットワークノードからの出力の送信、入力、出力、もしくは両者の適当の処理の実行、他の機器との通信、またはこれらの任意の組み合わせを行うように動作し得る任意適当な機器を表していてもよい。ネットワークインターフェース１１４０には、プロトコル変換およびデータ処理能力等、ネットワークを介して通信する適当なハードウェア（たとえば、ポート、モデム、ネットワークインターフェースカード等）およびソフトウェアを含んでいてもよい。
【０１９３】
ネットワークノードの他の実施形態には、上述の機能のいずれかおよび／または（上述の解決手段をサポートするのに必要な任意の機能を含む）別の機能等、ネットワークノードの機能の特定の態様を提供する役割を担い得る図１１に示したもの以外の付加的な構成要素を含んでいてもよい。
【０１９４】
図１２は、特定の実施形態に係る、例示的な無線機器の模式的ブロック図である。無線機器１１０は、１つまたは複数のモジュールを具備していてもよい。たとえば、無線機器１１０は、決定モジュール１２１０、通信モジュール１２２０、受信モジュール１２３０、入力モジュール１２４０、表示モジュール１２５０、およびその他任意適当なモジュールを具備していてもよい。無線機器１１０は、ランダムアクセス設定を適応させることにより、図１〜図８に関して上述したＳＲＳキャリアベース切り替えと関連付けられた中断を制御する方法を実行するようにしてもよい。
【０１９５】
決定モジュール１２１０は、無線機器１１０の処理機能を実行するようにしてもよい。たとえば、決定モジュール１２１０は、少なくとも１つの第１のキャリア周波数（Ｆ１）に属する少なくとも１つのセル（ｃｅｌｌ１）において少なくとも１つの第１の組の参照時間リソース（Ｒ１）を決定するようにしてもよい。別の例として、決定モジュール１２１０は、ランダムアクセス手順または設定のうちの１つまたは複数に対して第１の組の参照時間リソース（Ｒ１）を適応させるようにしてもよい。決定モジュール１２１０は、図９に関して上述したプロセッサ９２０等の１つまたは複数のプロセッサを具備していてもよいし、１つまたは複数のプロセッサに含まれていてもよい。決定モジュール１２１０は、決定モジュール１２１０および／または上述のプロセッサ９２０の機能のいずれかを実行するように設定されたアナログおよび／またはデジタル回路を含んでいてもよい。特定の実施形態において、上述の決定モジュール１２１０の機能は、１つまたは複数の異なるモジュールで実行されてもよい。
【０１９６】
通信モジュール１２２０は、無線機器１１０の送信機能を実行するようにしてもよい。たとえば、通信モジュール１２２０は、ＳＲＳ切り替えに関して、ランダムアクセス手順を適応させるＵＥの能力を別のノードに示すようにしてもよい。別の例として、通信モジュール１２２０は、第２のキャリア周波数（Ｆ２）で１つまたは複数のランダムアクセス送信を行ってＳＲＳキャリアベース切り替えをサポートする一方、決定された第１の組の参照時間リソース（Ｒ１）を考慮するようにしてもよい。特定の実施形態において、通信モジュール１２２０は、第１のキャリア周波数（Ｆ１）と関連付けられた送信機リソースを使用するようにしてもよい。さらに別の例として、通信モジュール１２２０は、ランダムアクセス設定および／または手順が適応済みであることを別のノードに示すようにしてもよい。通信モジュール１２２０は、ネットワーク１００のネットワークノード１１５のうちの１つまたは複数にメッセージを送信するようにしてもよい。通信モジュール１２２０は、図９に関して上述した送受信機９１０等の送信機および／または送受信機を具備していてもよい。通信モジュール１２２０は、メッセージおよび／または信号を無線送信するように設定された回路を含んでいてもよい。特定の実施形態において、通信モジュール１２２０は、決定モジュール１２１０から送信するメッセージおよび／または信号を受信するようにしてもよい。特定の実施形態において、上述の通信モジュール１２２０の機能は、１つまたは複数の異なるモジュールで実行されてもよい。
【０１９７】
受信モジュール１２３０は、無線機器１１０の受信機能を実行するようにしてもよい。受信モジュール１２３０は、図９に関して上述した送受信機９１０等の受信機および／または送受信機を具備していてもよい。受信モジュール１２３０は、メッセージおよび／または信号を無線受信するように設定された回路を含んでいてもよい。特定の実施形態において、受信モジュール１２３０は、受信したメッセージおよび／または信号を決定モジュール１２１０に通信するようにしてもよい。
【０１９８】
入力モジュール１２４０は、無線機器１１０を対象としたユーザ入力を受け付けるようにしてもよい。たとえば、入力モジュールは、キー押下、ボタン押下、タッチ、スワイプ、オーディオ信号、ビデオ信号、および／またはその他任意適当な信号を受け付けるようにしてもよい。入力モジュールは、１つまたは複数のキー、ボタン、レバー、スイッチ、タッチスクリーン、マイク、および／またはカメラを具備していてもよい。入力モジュールは、受け付けた信号を決定モジュール１２１０に通信するようにしてもよい。
【０１９９】
表示モジュール１２５０は、信号を無線機器１１０のディスプレイに提示するようにしてもよい。表示モジュール１２５０は、ディスプレイならびに／または信号をディスプレイに提示するように設定された任意適当な回路およびハードウェアを具備していてもよい。表示モジュール１２５０は、決定モジュール１２１０から信号を受信してディスプレイに提示するようにしてもよい。
【０２００】
決定モジュール１２１０、通信モジュール１２２０、受信モジュール１２３０、入力モジュール１２４０、および表示モジュール１２５０は、ハードウェアおよび／またはソフトウェアの任意適当な設定を含んでいてもよい。無線機器１１０には、上述の機能のいずれかおよび／または（本明細書に記載のさまざまな解決手段をサポートするのに必要な任意の機能を含む）別の機能等、任意適当な機能を提供する役割を担い得る図１２に示したもの以外の付加的なモジュールを含んでいてもよい。
【０２０１】
図１３は、特定の実施形態に係る、例示的なネットワークノード１１５の模式的ブロック図である。ネットワークノード１１５は、１つまたは複数のモジュールを具備していてもよい。たとえば、ネットワークノード１１５は、決定モジュール１３１０、通信モジュール１３２０、受信モジュール１３３０、およびその他任意適当なモジュールを具備していてもよい。いくつかの実施形態において、決定モジュール１３１０、通信モジュール１３２０、受信モジュール１３３０、およびその他任意適当なモジュールのうちの１つまたは複数は、図１０に関して上述したプロセッサ１０２０等、１つまたは複数のプロセッサを用いて実装されていてもよい。特定の実施形態において、２つ以上の上記さまざまなモジュールの機能は、単一のモジュールへと組み合わされていてもよい。ネットワークノード１１５は、図１〜図８に関して上述したＳＲＳキャリアベース切り替えと関連付けられた中断を制御するようにランダムアクセス設定を適応させる方法を実行するようにしてもよい。
【０２０２】
決定モジュール１３１０は、ネットワークノード１１５の処理機能を実行するようにしてもよい。たとえば、決定モジュール１３１０は、ＳＲＳ切り替えに関して、ランダムアクセス手順を適応させるＵＥの能力に関する情報を取得するようにしてもよい。別の例として、決定モジュール１３１０は、ＵＥについて、少なくとも１つの第１のキャリア周波数（Ｆ１）に属する少なくとも１つのセル（ｃｅｌｌ１）において少なくとも１つの第１の組の参照時間リソース（Ｒ１）を決定するようにしてもよい。さらに別の例として、決定モジュール１３１０は、ランダムアクセス手順または設定のうちの１つまたは複数に対して第１の組の参照時間リソース（Ｒ１）を適応させるようにしてもよい。さらに別の例として、決定モジュール１３１０は、ＳＲＳキャリアベース切り替えをサポートする第２のキャリア周波数（Ｆ２）でのＵＥのランダムアクセス送信と、決定した第１の組の参照時間リソース（Ｒ１）におけるＵＥの動作と、のうちの１つまたは複数を制御するようにしてもよい。決定モジュール１３１０は、図１０に関して上述したプロセッサ１０２０等の１つまたは複数のプロセッサを具備していてもよいし、１つまたは複数のプロセッサに含まれていてもよい。決定モジュール１３１０は、決定モジュール１３１０および／または上述のプロセッサ１０２０の機能のいずれかを実行するように設定されたアナログおよび／またはデジタル回路を含んでいてもよい。特定の実施形態において、決定モジュール１３１０の機能は、１つまたは複数の異なるモジュールで実行されてもよい。たとえば、特定の実施形態においては、決定モジュール１３１０の機能の一部が割り当てモジュールにより実行されてもよい。
【０２０３】
通信モジュール１３２０は、ネットワークノード１１５の送信機能を実行するようにしてもよい。通信モジュール１３２０は、無線機器１１０のうちの１つまたは複数にメッセージを送信するようにしてもよい。通信モジュール１３２０は、図１０に関して上述した送受信機１０１０等の送信機および／または送受信機を具備していてもよい。通信モジュール１３２０は、メッセージおよび／または信号を無線送信するように設定された回路を含んでいてもよい。特定の実施形態において、通信モジュール１３２０は、決定モジュール１３１０またはその他任意のモジュールから送信するメッセージおよび／または信号を受信するようにしてもよい。
【０２０４】
受信モジュール１３３０は、ネットワークノード１１５の受信機能を実行するようにしてもよい。たとえば、受信モジュール１３３０は、ＳＲＳ切り替えに関して、ランダムアクセス手順を適応させるＵＥの能力に関する情報を取得するようにしてもよい。受信モジュール１３３０は、無線機器から任意適当な情報を受信するようにしてもよい。受信モジュール１３３０は、図１０に関して上述した送受信機１０１０等の受信機および／または送受信機を具備していてもよい。受信モジュール１３３０は、メッセージおよび／または信号を無線受信するように設定された回路を含んでいてもよい。特定の実施形態において、受信モジュール１３３０は、受信したメッセージおよび／または信号を決定モジュール１３１０またはその他任意適当なモジュールに通信するようにしてもよい。
【０２０５】
決定モジュール１３１０、通信モジュール１３２０、および受信モジュール１３３０は、ハードウェアおよび／またはソフトウェアの任意適当な設定を含んでいてもよい。ネットワークノード１１５には、上述の機能のいずれかおよび／または（本明細書に記載のさまざまな解決手段をサポートするのに必要な任意の機能を含む）別の機能等、任意適当な機能を提供する役割を担い得る図１３に示したもの以外の付加的なモジュールを含んでいてもよい。
【０２０６】
図１４は、実施形態に係る、ユーザ機器において、ランダムアクセス手順を実行する方法のフローチャートである。この方法は、１４００において、サービングセルへの参照信号（ＲＳ）送信の切り替えのリクエストを受信することを含む。この方法は、１４１０において、ＲＳ切り替えに関して、サービングセルへのランダムアクセス再送信の最大数を制限することにより、サービングセルに対するランダムアクセス手順を適応的に実行することをさらに含む。
【０２０７】
ランダムアクセス再送信は、ランダムアクセスプリアンブル再送信であってもよい。サービングセルは、物理アップリンク共有チャネル（ＰＵＳＣＨ）を伴わないセカンダリサービングセル（ＳＣｅｌｌ）であってもよい。ランダムアクセス手順は、非競合ベースの物理ランダムアクセスチャネル（ＰＲＡＣＨ）手順であってもよく、ランダムアクセス再送信は、非競合ベースのＰＲＡＣＨ送信であってもよい。
【０２０８】
この方法は、１４１２において、第１のキャリア周波数に属するセルにおいて第１の組の参照時間リソースを決定することをさらに含んでいてもよく、サービングセルは、第２のキャリア周波数で動作する。本実施形態において、サービングセルへのランダムアクセス再送信の最大数を制限すること１４１０は、１４１４において、決定した第１の組の参照時間リソース中のサービングセルへのランダムアクセス再送信の最大数を制限することを含んでいてもよい。第１の組の参照時間リソースは、測定を実行するためのものであってもよい。すなわち、第１の組の参照時間リソースは、ユーザ機器によって、測定の実行に用いられてもよい。
【０２０９】
サービングセルへのＲＳ送信の切り替えのリクエストを受信するステップ１４００は、１４０５において、無線リソース制御（ＲＲＣ）シグナリングによって１つまたは複数のＲＳ切り替えメッセージを受信することを含んでいてもよい。
【０２１０】
ＲＳ切り替えは、キャリアベースのＲＳ切り替えであってもよい。
【０２１１】
参照信号（ＲＳ）は、サウンディング参照信号（ＳＲＳ）であってもよい。ただし、ＲＳは、復調参照信号（ＤＭＲＳ）、ＵＥ固有参照信号、またはパイロット信号等、任意の種類の参照信号であってもよいが、これらに限定されない。
【０２１２】
図１５は、実施形態に係る、ネットワークノードにおける方法を示したフローチャートである。この方法は、１５００において、リクエストをユーザ機器に送信することであって、リクエストが、サービングセルへの参照信号（ＲＳ）送信の切り替えのリクエストを含む、送信することを含んでいてもよい。この方法は、１５１０において、参照信号（ＲＳ）切り替えに関して、ランダムアクセス手順を適応させるユーザ機器の能力に関する情報を取得することであって、この適応が、ＲＳ切り替えに関してサービングセルへのランダムアクセス再送信の最大数を制限することを含む、取得することをさらに含む。
【０２１３】
このネットワークノードにおける方法は、１５０５において、ＲＳ切り替えに関して、サービングセルに対するユーザ機器のランダムアクセス送信を制御することをさらに含んでいてもよい。この制御は、１５０７において、ＲＳ切り替えに関して、ユーザ機器により実行されるランダムアクセス手順を適応させることを含んでいてもよく、適応は、ＲＳ切り替えに関して、サービングセルへのランダムアクセス再送信の最大数を制限することを含む。
【０２１４】
このネットワークノードにおける方法は、１５０９において、ユーザ機器について、第１のキャリア周波数に属する第１のセルにおいて第１の組の参照時間リソースを決定することをさらに含んでいてもよく、サービングセルは、第２のキャリア周波数で動作する。
【０２１５】
ステップ１５００（リクエストをユーザ機器に送信すること）は、１５０２において、無線リソース制御（ＲＲＣ）シグナリングによって１つまたは複数のＲＳ切り替えメッセージを送信することを含んでいてもよい。
【０２１６】
ランダムアクセス再送信は、ランダムアクセスプリアンブル再送信であってもよい。サービングセルは、物理アップリンク共有チャネル（ＰＵＳＣＨ）を伴わないセカンダリサービングセル（ＳＣｅｌｌ）であってもよい。ランダムアクセス手順は、非競合ベースの物理ランダムアクセスチャネル（ＰＲＡＣＨ）手順であってもよく、ランダムアクセス再送信は、非競合ベースのＰＲＡＣＨ送信であってもよい。
【０２１７】
ＲＳ切り替えは、キャリアベースのＲＳ切り替えであってもよい。
【０２１８】
ＲＳは、サウンディング参照信号であってもよい。ただし、ＲＳは、復調参照信号（ＤＭＲＳ）、ＵＥ固有参照信号、またはパイロット信号等、任意の種類の参照信号であってもよいが、これらに限定されない。
【０２１９】
図９および図１２に関して上述した、ユーザ機器とも称し得る無線機器１１０は、図１４に関して上述した方法を実行するように設定されていてもよい。
【０２２０】
実施形態によれば、１つまたは複数のプロセッサを備えたユーザ機器が提供される。１つまたは複数のプロセッサは、サービングセルへの参照信号（ＲＳ）送信の切り替えのリクエストを受信するように設定されている。１つまたは複数のプロセッサは、ＲＳ切り替えに関して、サービングセルへのランダムアクセス再送信の最大数を制限することにより、サービングセルに対するランダムアクセス手順を適応的に実行するようにさらに設定されている。
【０２２１】
ランダムアクセス再送信は、ランダムアクセスプリアンブル再送信であってもよい。サービングセルは、物理アップリンク共有チャネル（ＰＵＳＣＨ）を伴わないセカンダリサービングセル（ＳＣｅｌｌ）であってもよい。ランダムアクセス手順は、非競合ベースの物理ランダムアクセスチャネル（ＰＲＡＣＨ）手順であってもよく、ランダムアクセス再送信は、非競合ベースのＰＲＡＣＨ送信であってもよい。
【０２２２】
１つまたは複数のプロセッサは、第１のキャリア周波数に属するセルにおいて第１の組の参照時間リソースを決定するようにさらに設定されていてもよく、サービングセルは、第２のキャリア周波数で動作する。１つまたは複数のプロセッサは、決定された第１の組の参照時間リソース中のサービングセルへのランダムアクセス再送信の最大数を制限するように設定されていてもよい。第１の組の参照時間リソースは、測定の実行に用いられてもよい。
【０２２３】
１つまたは複数のプロセッサは、無線リソース制御（ＲＲＣ）シグナリングによって１つまたは複数のＲＳ切り替えメッセージを受信することにより、サービングセルへのＲＳ送信の切り替えのリクエストを受信するように設定されていてもよい。
【０２２４】
ＲＳ切り替えは、キャリアベースのＲＳ切り替えであってもよい。
【０２２５】
ＲＳは、サウンディング参照信号であってもよい。ただし、ＲＳは、復調参照信号（ＤＭＲＳ）、ＵＥ固有参照信号、またはパイロット信号等、任意の種類の参照信号であってもよいが、これらに限定されない。
【０２２６】
図１０および図１３に関して上述したネットワークノード１１５は、図１５に関して上述した方法を実行するように設定されていてもよい。
【０２２７】
実施形態によれば、１つまたは複数のプロセッサを備えたネットワークノードが提供される。１つまたは複数のプロセッサは、リクエストをユーザ機器に送信することであって、リクエストが、サービングセルへの参照信号（ＲＳ）送信の切り替えのリクエストを含む、送信することを行うように設定されている。１つまたは複数のプロセッサは、参照信号（ＲＳ）切り替えに関して、ランダムアクセス手順を適応させるユーザ機器の能力に関する情報を取得することであって、この適応が、ＲＳ切り替えに関してサービングセルへのランダムアクセス再送信の最大数を制限することを含む、取得することを行うようにさらに設定されている。
【０２２８】
１つまたは複数のプロセッサは、ＲＳ切り替えに関して、サービングセルに対するユーザ機器のランダムアクセス送信を制御するようにさらに設定されていてもよい。特に、１つまたは複数のプロセッサは、ＲＳ切り替えに関して、ユーザ機器により実行されるランダムアクセス手順を適応させるように設定されていてもよく、その適応は、ＲＳ切り替えに関して、サービングセルへのランダムアクセス再送信の最大数を制限することを含む。
【０２２９】
１つまたは複数のプロセッサは、ユーザ機器について、第１のキャリア周波数に属する第１のセルにおいて第１の組の参照時間リソースを決定するようにさらに設定されていてもよく、サービングセルは、第２のキャリア周波数で動作する。
【０２３０】
いくつかの実施形態において、１つまたは複数のプロセッサは、無線リソース制御（ＲＲＣ）シグナリングによって１つまたは複数のＲＳ切り替えメッセージをユーザ機器に送信するように設定されていてもよい。
【０２３１】
ランダムアクセス再送信は、ランダムアクセスプリアンブル再送信であってもよい。サービングセルは、物理アップリンク共有チャネル（ＰＵＳＣＨ）を伴わないセカンダリサービングセル（ＳＣｅｌｌ）であってもよい。ランダムアクセス手順は、非競合ベースの物理ランダムアクセスチャネル（ＰＲＡＣＨ）手順であってもよく、ランダムアクセス再送信は、非競合ベースのＰＲＡＣＨ送信であってもよい。
【０２３２】
ＲＳ切り替えは、キャリアベースのＲＳ切り替えであってもよい。
【０２３３】
ＲＳは、サウンディング参照信号であってもよい。ただし、ＲＳは、復調参照信号（ＤＭＲＳ）、ＵＥ固有参照信号、またはパイロット信号等、任意の種類の参照信号であってもよいが、これらに限定されない。
【０２３４】
本開示の特定の実施形態は、１つまたは複数の技術的利点をもたらし得る。たとえば、特定の実施形態によれば、ＲＳキャリアベース切り替えに関して、ランダムアクセスに起因する付加的な中断のリスクが低減され得る。実施形態によれば、中断、言い換えると、無線測定に用いられる第１のキャリア周波数に属する第１のセルにおける第１の組の時間リソースに対する影響が抑えられる。このため、実施形態によれば、手順の実行の低下が抑えられる。当業者にとっては、他の利点についても容易に明らかとなり得る。特定の実施形態は、列挙した利点を有していなくてもよいし、列挙した利点の一部または全部を有していてもよい。
【０２３５】
本開示の範囲から逸脱することなく、本明細書に記載のシステムおよび装置に対する改良、追加、または省略が可能である。これらのシステムおよび装置の構成要素は、統合されていてもよいし、分離されていてもよい。さらに、これらのシステムおよび装置の動作は、より多くの構成要素により実行されてもよいし、より少ない構成要素により実行されてもよいし、他の構成要素により実行されてもよい。また、これらのシステムおよび装置の動作は、ソフトウェア、ハードウェア、および／または他のロジックを含む任意適当なロジックを用いて実行されてもよい。本明細書において、「各」は、集合の各部材または集合の部分集合の各部材を表す。
【０２３６】
本開示の範囲から逸脱することなく、本明細書に記載の方法に対する改良、追加、または省略が可能である。これらの方法は、より多くのステップを含んでいてもよいし、より少ないステップを含んでいてもよいし、他のステップを含んでいてもよい。また、任意適当な順序でステップが実行されてもよい。
【０２３７】
特定の実施形態に関して本開示を説明したが、当業者には、これらの実施形態の修正および変形が明らかとなるであろう。したがって、これらの実施形態に関する上記説明は、本開示を制限するものではない。以下の特許請求の範囲により規定される通り、本開示の範囲から逸脱することなく、他の変更、代替、および修正が可能である。
【図１】
2019537335.tif 000005
【図２】
2019537335.tif 000006
【図３】
2019537335.tif 000007
【図４】
2019537335.tif 000008
【図５】
2019537335.tif 000009
【図６】
2019537335.tif 000010
【図７】
2019537335.tif 000011
【図８】
2019537335.tif 000012
【図９】
2019537335.tif 000013
【図１０】
2019537335.tif 000014
【図１１】
2019537335.tif 000015
【図１２】
2019537335.tif 000016
【図１３】
2019537335.tif 000017
【図１４】
2019537335.tif 000018
【図１５】
2019537335.tif 000019
【国際調査報告】
2019537335.tif 000020
2019537335.tif 000021
2019537335.tif 000022